(57)【要約】  本発明は、ネットワークデバイス間のチャネル状態情報報告を制御して新しい情報報告方法を提供する情報報告方法および装置を提供する。本発明の実施形態による方法は、第2のネットワークデバイスにより、第1のネットワークデバイスによって送信された制御情報を受信するステップであって、制御情報はトリガ信号およびチャネル状態情報タイプを含み、トリガ信号は、第2のネットワークデバイスをトリガしてターゲットチャネル状態情報を第1のネットワークデバイスに報告するために使用される、ステップと、第2のネットワークデバイスにより、チャネル状態情報タイプに基づいてターゲットチャネル状態情報を決定するステップと、第2のネットワークデバイスにより、トリガ信号およびチャネル状態情報タイプに基づいて、ターゲットチャネル状態情報を第1のネットワークデバイスに報告するステップと、を含む。
2019524032.tif 000002
【特許請求の範囲】
【請求項１】
第2のネットワークデバイスにより、第1のネットワークデバイスによって送信された制御情報を受信するステップであって、前記制御情報はトリガ信号およびチャネル状態情報タイプを含み、前記トリガ信号は、前記第2のネットワークデバイスをトリガしてターゲットチャネル状態情報を前記第1のネットワークデバイスに報告するために使用される、ステップと、
前記第2のネットワークデバイスにより、前記チャネル状態情報タイプに基づいて前記ターゲットチャネル状態情報を決定するステップと、
前記第2のネットワークデバイスにより、前記トリガ信号および前記チャネル状態情報タイプに基づいて、前記ターゲットチャネル状態情報を前記第1のネットワークデバイスに報告するステップと
を含む情報報告方法。
【請求項２】
前記チャネル状態情報タイプが第1のタイプおよび第2のタイプを含み、前記第1のタイプは、第1の伝送方式に対応する前記チャネル状態情報タイプであり、前記第2のタイプは、第2の伝送方式に対応する前記チャネル状態情報タイプである、請求項1に記載の情報報告方法。
【請求項３】
前記第2のネットワークデバイスにより、前記チャネル状態情報タイプに基づいて前記ターゲットチャネル状態情報を決定する前記ステップが、
前記チャネル状態情報タイプが前記第1のタイプである場合、前記第2のネットワークデバイスにより、前記ターゲットチャネル状態情報がターゲットチャネルの品質、前記ターゲットチャネルのランク、および／または第1のチャネルプリコーディング行列インデックスであると決定するステップ、または、
前記チャネル状態情報タイプが前記第2のタイプである場合、前記第2のネットワークデバイスにより、前記ターゲットチャネル状態情報が前記ターゲットチャネルの前記品質、前記ターゲットチャネルの前記ランク、および第2のチャネルプリコーディング行列インデックスであると決定するステップ
を含む、請求項2に記載の情報報告方法。
【請求項４】
第2のネットワークデバイスにより、第1のネットワークデバイスによって送信された制御情報を受信する前記ステップの後に、
前記第2のネットワークデバイスにより、前記制御情報の第1のフィールドを使用して、前記チャネル状態情報タイプが前記第1のタイプまたは前記第2のタイプであることを決定するステップであって、前記第1のフィールドは第1の指示情報を搬送し、前記第1の指示情報は、前記チャネル状態情報タイプが前記第1のタイプまたは前記第2のタイプであることを示すために使用される、ステップ
をさらに含む、請求項3に記載の情報報告方法。
【請求項５】
前記チャネル状態情報タイプが第3のタイプおよび第4のタイプを含み、前記第3のタイプは、プリコーディングされていないチャネル状態情報パイロットに基づく測定量に対応する前記チャネル状態情報タイプであり、前記第4のタイプは、ビーム形成されたチャネル状態情報パイロットに基づく測定量に対応する前記チャネル状態情報タイプである、請求項1に記載の情報報告方法。
【請求項６】
前記第2のネットワークデバイスにより、前記トリガ信号および前記チャネル状態情報タイプに基づいて、前記ターゲットチャネル状態情報を前記第1のネットワークデバイスに報告する前記ステップが、
前記チャネル状態情報タイプが前記第3のタイプである場合、前記第2のネットワークデバイスにより、前記トリガ信号に基づいて第1のタイプのターゲットチャネル状態情報を報告するステップであって、前記第1のタイプのターゲットチャネル状態情報は、前記プリコーディングされていないチャネル状態情報基準信号に基づく測定量に対応するチャネル状態情報である、ステップ、または、
前記チャネル状態情報タイプが前記第4のタイプである場合、前記第2のネットワークデバイスにより、前記トリガ信号に基づいて第4のタイプのターゲットチャネル状態情報を報告するステップであって、前記第2のタイプのターゲットチャネル状態情報は、前記ビーム形成されたチャネル状態情報基準信号に基づく測定量に対応するチャネル状態情報である、ステップ
を含む、請求項5に記載の情報報告方法。
【請求項７】
第2のネットワークデバイスにより、第1のネットワークデバイスによって送信された制御情報を受信する前記ステップの後に、
前記第2のネットワークデバイスにより、前記制御情報の第2のフィールドを使用して、前記チャネル状態情報タイプが前記第3のタイプまたは前記第4のタイプであることを決定するステップであって、前記第2のフィールドは第2の指示情報を搬送し、前記第2の指示情報は、前記チャネル状態情報タイプが前記第3のタイプまたは前記第4のタイプであることを示すために使用される、ステップ
をさらに含む、請求項5に記載の情報報告方法。
【請求項８】
前記トリガ信号がシングルトリガ信号またはマルチトリガ信号であり、前記シングルトリガ信号は、前記第2のネットワークデバイスをトリガして前記ターゲットチャネル状態情報を前記第1のネットワークデバイスに1回報告するために使用され、前記マルチトリガ信号は、前記第2のネットワークデバイスをトリガして前記ターゲットチャネル状態情報を前記第1のネットワークデバイスに少なくとも2回報告するために使用される、請求項1から7のいずれか一項に記載の情報報告方法。
【請求項９】
第2のネットワークデバイスにより、第1のネットワークデバイスによって送信された制御情報を受信する前記ステップの後に、
前記第2のネットワークデバイスにより、前記制御情報の第3のフィールドを使用して、前記トリガ信号が前記シングルトリガ信号または前記マルチトリガ信号であることを決定するステップであって、前記第3のフィールドは第3の指示情報および第4の指示情報を搬送し、前記第3の指示情報は、前記トリガ信号が前記シングルトリガ信号または前記マルチトリガ信号であることを示すために使用され、前記第4の指示情報は、前記チャネル状態情報タイプを示すために使用される、ステップ
をさらに含む、請求項8に記載の情報報告方法。
【請求項１０】
前記トリガ信号が第1のトリガ信号または第2のトリガ信号であり、前記第1のトリガ信号は、前記第2のネットワークデバイスをトリガして前記第1のタイプのターゲットチャネル状態情報を前記第1のネットワークデバイスに1回報告するために使用され、前記第2のトリガ信号は、前記第2のネットワークデバイスをトリガして前記第2のタイプのターゲットチャネル状態情報を前記第1のネットワークデバイスに少なくとも2回報告するために使用される、請求項5から7のいずれか一項に記載の情報報告方法。
【請求項１１】
第2のネットワークデバイスにより、第1のネットワークデバイスによって送信された制御情報を受信する前記ステップの後に、
前記第2のネットワークデバイスにより、前記制御情報の第4のフィールドを使用して、前記トリガ信号が前記第1のトリガ信号または前記第2のトリガ信号であることを決定するステップであって、前記第4のフィールドは第5の指示情報および第6の指示情報を搬送し、前記第5の指示情報は、前記トリガ信号が前記第1のトリガ信号または前記第2のトリガ信号であることを示すために使用され、前記第6の指示情報は、前記チャネル状態情報タイプが前記第1のタイプのターゲットチャネル状態情報または前記第2のタイプのターゲットチャネル状態情報であることを示すために使用される、ステップ
をさらに含む、請求項10に記載の情報報告方法。
【請求項１２】
前記制御情報が、制御チャネルで搬送される、請求項1に記載の情報報告方法。
【請求項１３】
第1のネットワークデバイスにより、制御情報を第2のネットワークデバイスに送信するステップであって、前記制御情報はトリガ信号およびチャネル状態情報タイプを含み、前記トリガ信号は、前記第2のネットワークデバイスをトリガしてターゲットチャネル状態情報を前記第1のネットワークデバイスに報告するために使用される、ステップと、
前記第1のネットワークデバイスにより、前記第2のネットワークデバイスによって送信された前記ターゲットチャネル状態情報を受信するステップと
を含む情報報告方法。
【請求項１４】
前記チャネル状態情報タイプが第1のタイプおよび第2のタイプを含み、前記第1のタイプは、第1の伝送方式に対応する前記チャネル状態情報タイプであり、前記第2のタイプは、第2の伝送方式に対応する前記チャネル状態情報タイプである、請求項13に記載の情報報告方法。
【請求項１５】
前記チャネル状態情報タイプが第3のタイプおよび第4のタイプを含み、前記第3のタイプは、プリコーディングされていないチャネル状態情報パイロットに基づく測定量に対応する前記チャネル状態情報タイプであり、前記第4のタイプは、ビーム形成されたチャネル状態情報パイロットに基づく測定量に対応する前記チャネル状態情報タイプである、請求項13に記載の情報報告方法。
【請求項１６】
前記トリガ信号がシングルトリガ信号またはマルチトリガ信号であり、前記シングルトリガ信号は、前記第2のネットワークデバイスをトリガして前記ターゲットチャネル状態情報を前記第1のネットワークデバイスに1回報告するために使用され、前記マルチトリガ信号は、前記第2のネットワークデバイスをトリガして前記ターゲットチャネル状態情報を前記第1のネットワークデバイスに少なくとも2回報告するために使用される、請求項13に記載の情報報告方法。
【請求項１７】
前記トリガ信号が第1のトリガ信号および第2のトリガ信号であり、前記第1のトリガ信号は、前記第2のネットワークデバイスをトリガして第1のタイプのターゲットチャネル状態情報を前記第1のネットワークデバイスに1回報告するために使用され、前記第2のトリガ信号は、前記第2のネットワークデバイスをトリガして第2のタイプのターゲットチャネル状態情報を前記第1のネットワークデバイスに少なくとも2回報告するために使用される、請求項13に記載の情報報告方法。
【請求項１８】
前記制御情報が、第1のフィールド、第2のフィールド、第3のフィールド、または第4のフィールドをさらに含む、請求項13に記載の情報報告方法。
【請求項１９】
第2のネットワークデバイスであって、
第1のネットワークデバイスによって送信された制御情報を受信するように構成された受信ユニットであって、前記制御情報はトリガ信号およびチャネル状態情報タイプを含み、前記トリガ信号は、前記第2のネットワークデバイスをトリガしてターゲットチャネル状態情報を前記第1のネットワークデバイスに報告するために使用される、受信ユニットと、
前記チャネル状態情報タイプに基づいて前記ターゲットチャネル状態情報を決定するように構成された第1の決定ユニットと、
前記トリガ信号および前記チャネル状態情報タイプに基づいて、前記ターゲットチャネル状態情報を前記第1のネットワークデバイスに報告するように構成された報告ユニットと
を備える第2のネットワークデバイス。
【請求項２０】
前記チャネル状態情報タイプが第1のタイプおよび第2のタイプを含み、前記第1のタイプは、第1の伝送方式に対応する前記チャネル状態情報タイプであり、前記第2のタイプは、第2の伝送方式に対応する前記チャネル状態情報タイプである、請求項19に記載の第2のネットワークデバイス。
【請求項２１】
前記第1の決定ユニットが、
前記チャネル状態情報タイプが前記第1のタイプである場合、前記ターゲットチャネル状態情報がターゲットチャネルの品質、前記ターゲットチャネルのランク、および／または第1のチャネルプリコーディング行列インデックスであると決定するように構成された第1の決定モジュールと、
前記チャネル状態情報タイプが前記第2のタイプである場合、前記ターゲットチャネル状態情報が前記ターゲットチャネルの前記品質、前記ターゲットチャネルの前記ランク、および第2のチャネルプリコーディング行列インデックスであると決定するように構成された第2の決定モジュールと
をさらに備える、請求項20に記載の第2のネットワークデバイス。
【請求項２２】
前記第2のネットワークデバイスが、
前記制御情報の第1のフィールドを使用して、前記チャネル状態情報タイプが前記第1のタイプまたは前記第2のタイプであることを決定するように構成された第2の決定ユニットであって、前記第1のフィールドは第1の指示情報を搬送し、前記第1の指示情報は、前記チャネル状態情報タイプが前記第1のタイプまたは前記第2のタイプであることを示すために使用される、第2の決定ユニット
をさらに備える、請求項21に記載の第2のネットワークデバイス。
【請求項２３】
前記チャネル状態情報タイプが第3のタイプおよび第4のタイプを含み、前記第3のタイプは、プリコーディングされていないチャネル状態情報パイロットに基づく測定量に対応する前記チャネル状態情報タイプであり、前記第4のタイプは、ビーム形成されたチャネル状態情報パイロットに基づく測定量に対応する前記チャネル状態情報タイプである、請求項19に記載の第2のネットワークデバイス。
【請求項２４】
前記報告ユニットが、
前記チャネル状態情報タイプが前記第3のタイプである場合、前記トリガ信号に基づいて第1のタイプのターゲットチャネル状態情報を報告するように構成された第1の報告モジュールであって、前記第1のタイプのターゲットチャネル状態情報は、前記プリコーディングされていないチャネル状態情報基準信号に基づく測定量に対応するチャネル状態情報である、第1の報告モジュールと、
前記チャネル状態情報タイプが前記第4のタイプである場合、前記トリガ信号に基づいて第2のタイプのターゲットチャネル状態情報を報告するように構成された第2の報告モジュールであって、前記第2のタイプのターゲットチャネル状態情報は、前記ビーム形成されたチャネル状態情報基準信号に基づく測定量に対応するチャネル状態情報である、第2の報告モジュールと
をさらに備える、請求項23に記載の第2のネットワークデバイス。
【請求項２５】
前記第2のネットワークデバイスが、
前記制御情報の第2のフィールドを使用して、前記チャネル状態情報タイプが前記第3のタイプまたは前記第4のタイプであることを決定するように構成された第3の決定ユニットであって、前記第2のフィールドは第2の指示情報を搬送し、前記第2の指示情報は、前記チャネル状態情報タイプが前記第3のタイプまたは前記第4のタイプであることを示すために使用される、第3の決定ユニット
をさらに備える、請求項23に記載の第2のネットワークデバイス。
【請求項２６】
前記トリガ信号がシングルトリガ信号またはマルチトリガ信号であり、前記シングルトリガ信号は、前記第2のネットワークデバイスをトリガして前記ターゲットチャネル状態情報を前記第1のネットワークデバイスに1回報告するために使用され、前記マルチトリガ信号は、前記第2のネットワークデバイスをトリガして前記ターゲットチャネル状態情報を前記第1のネットワークデバイスに少なくとも2回報告するために使用される、請求項19から25のいずれか一項に記載の第2のネットワークデバイス。
【請求項２７】
前記第2のネットワークデバイスが、
前記制御情報の第3のフィールドを使用して、前記トリガ信号が前記シングルトリガ信号または前記マルチトリガ信号であることを決定するように構成された第4の決定ユニットであって、前記第3のフィールドは第3の指示情報および第4の指示情報を搬送し、前記第3の指示情報は、前記トリガ信号が前記シングルトリガ信号または前記マルチトリガ信号であることを示すために使用され、前記第4の指示情報は、前記チャネル状態情報タイプを示すために使用される、第4の決定ユニット
をさらに備える、請求項26に記載の第2のネットワークデバイス。
【請求項２８】
前記トリガ信号が第1のトリガ信号および第2のトリガ信号を含み、前記第1のトリガ信号は、前記第2のネットワークデバイスをトリガして前記第1のタイプのターゲットチャネル状態情報を前記第1のネットワークデバイスに1回報告するために使用され、前記第2のトリガ信号は、前記第2のネットワークデバイスをトリガして前記第2のタイプのターゲットチャネル状態情報を前記第1のネットワークデバイスに少なくとも2回報告するために使用される、請求項23から25のいずれか一項に記載の第2のネットワークデバイス。
【請求項２９】
前記第2のネットワークデバイスが、
前記制御情報の第4のフィールドを使用して、前記トリガ信号が前記第1のトリガ信号または前記第2のトリガ信号であることを決定するように構成された第5の決定ユニットであって、前記第4のフィールドは第5の指示情報および第6の指示情報を搬送し、前記第5の指示情報は、前記トリガ信号が前記第1のトリガ信号または前記第2のトリガ信号であることを示すために使用され、前記第6の指示情報は、前記チャネル状態情報タイプが前記第1のタイプのターゲットチャネル状態情報または前記第2のタイプのターゲットチャネル状態情報であることを示すために使用される、第5の決定ユニット
をさらに備える、請求項28に記載の第2のネットワークデバイス。
【請求項３０】
前記制御情報が、制御チャネルで搬送される、請求項18に記載の第2のネットワークデバイス。
【請求項３１】
第1のネットワークデバイスであって、
制御情報を第2のネットワークデバイスに送信するように構成された送信ユニットであって、前記制御情報はトリガ信号およびチャネル状態情報タイプを含み、前記トリガ信号は、前記第2のネットワークデバイスをトリガしてターゲットチャネル状態情報を前記第1のネットワークデバイスに報告するために使用される、送信ユニットと、
前記第2のネットワークデバイスによって送信された前記ターゲットチャネル状態情報を受信するように構成された受信ユニットと
を備える第1のネットワークデバイス。
【請求項３２】
前記チャネル状態情報タイプが第1のタイプおよび第2のタイプを含み、前記第1のタイプは、第1の伝送方式に対応する前記チャネル状態情報タイプであり、前記第2のタイプは、第2の伝送方式に対応する前記チャネル状態情報タイプである、請求項31に記載の第1のネットワークデバイス。
【請求項３３】
前記チャネル状態情報タイプが第3のタイプおよび第4のタイプを含み、前記第3のタイプは、プリコーディングされていないチャネル状態情報パイロットに基づく測定量に対応する前記チャネル状態情報タイプであり、前記第4のタイプは、ビーム形成されたチャネル状態情報パイロットに基づく測定量に対応する前記チャネル状態情報タイプである、請求項31に記載の第1のネットワークデバイス。
【請求項３４】
前記トリガ信号がシングルトリガ信号またはマルチトリガ信号であり、前記シングルトリガ信号は、前記第2のネットワークデバイスをトリガして前記ターゲットチャネル状態情報を前記第1のネットワークデバイスに1回報告するために使用され、前記マルチトリガ信号は、前記第2のネットワークデバイスをトリガして前記ターゲットチャネル状態情報を前記第1のネットワークデバイスに少なくとも2回報告するために使用される、請求項31に記載の第1のネットワークデバイス。
【請求項３５】
前記トリガ信号が第1のトリガ信号および第2のトリガ信号であり、前記第1のトリガ信号は、前記第2のネットワークデバイスをトリガして第1のタイプのターゲットチャネル状態情報を前記第1のネットワークデバイスに1回報告するために使用され、前記第2のトリガ信号は、前記第2のネットワークデバイスをトリガして第2のタイプのターゲットチャネル状態情報を前記第1のネットワークデバイスに少なくとも2回報告するために使用される、請求項31に記載の第1のネットワークデバイス。
【請求項３６】
前記制御情報が、第1のフィールド、第2のフィールド、第3のフィールド、または第4のフィールドをさらに含む、請求項31に記載の第1のネットワークデバイス。
【請求項３７】
第2のネットワークデバイスであって、
入力デバイス、出力デバイス、プロセッサ、記憶デバイス、およびバスを備え、
前記入力デバイス、前記出力デバイス、前記プロセッサ、および前記記憶デバイスは、前記バスを用いて接続され、
前記プロセッサは、
第1のネットワークデバイスによって送信された制御情報を受信する動作であって、前記制御情報はトリガ信号およびチャネル状態情報タイプを含み、前記トリガ信号は、前記第2のネットワークデバイスをトリガしてターゲットチャネル状態情報を前記第1のネットワークデバイスに報告するために使用される、動作と、
前記チャネル状態情報タイプに基づいて前記ターゲットチャネル状態情報を決定する動作と、
前記トリガ信号および前記チャネル状態情報タイプに基づいて、前記ターゲットチャネル状態情報を前記第1のネットワークデバイスに報告する動作と
を実行する、第2のネットワークデバイス。
【請求項３８】
第1のネットワークデバイスであって、
入力デバイス、出力デバイス、プロセッサ、記憶デバイス、およびバスを備え、
前記入力デバイス、前記出力デバイス、前記プロセッサ、および前記記憶デバイスは、前記バスを用いて接続され、
前記プロセッサは、
第2のネットワークデバイスに制御情報を送信する動作であって、前記制御情報はトリガ信号およびチャネル状態情報タイプを含み、前記トリガ信号は、前記第2のネットワークデバイスをトリガしてターゲットチャネル状態情報を前記第1のネットワークデバイスに報告するために使用される、動作と、
前記第2のネットワークデバイスによって送信された前記ターゲットチャネル状態情報を受信する動作と
を実行する、第1のネットワークデバイス。
【発明の詳細な説明】
【技術分野】
【０００１】
本発明は、LTEシステムおよび5Gシステムに関し、特に、情報報告方法および装置に関する。
【背景技術】
【０００２】
ロングタームエボリューション（Long Term Evolution、略してLTE）システムでは、多入力多出力（Multiple Input and Multiple Output、略してMIMO）技術が広く使用されている。ダウンリンクMIMO伝送は、開ループ伝送方式と閉ループ伝送方式とに分類することができる。開ループ伝送方式は、共通基準信号（Common Reference Signal、略してCRS）に基づいている。具体的には、CRSは、ダウンリンクデータチャネルを復調するために使用される。閉ループ伝送方式は、CRSに基づく方式と復調基準信号（DeModulation Reference Signal、略してDMRS）に基づく方式の2つの方式に分類される。DMRSに基づく閉ループ伝送方式では、UEはチャネルプリコーディング行列インデックス（Precoding Matrix Index、略してPMI）情報をフィードバックする必要がある。
【０００３】
既存のLTE技術では、チャネル状態情報（Channel State Information、略してCSI）プロセスにおけるチャネル状態情報基準信号（Channel State Information Reference Signal、略してCSI-RS）は、プリコーディングされていないCSI-RS（Non-precoded CSI-RS、略してNP CSI-RS）およびビーム形成されたCSI-RS（Beamformed CSI-RS、略してBF CSI-RS）を含む。1つのCSIプロセスには1つのCSI-RSタイプしか存在しない。端末は、CSIプロセスによって定義されたCSI-RSタイプに基づいてCSIを報告する。NP CSI-RSに基づいて測定および報告されるCSIは、BF CSI-RSに基づいて測定および報告されるCSIとは異なる。
【０００４】
既存のLTE技術では、1つのプロセスに1つのCSI-RSタイプしか存在せず、プロセスのCSI-RSタイプがNP CSI-RSである場合、対応するCSI報告方法はクラスA報告であり、またはプロセスのCSI-RSタイプがBF CSI-RSである場合、対応するCSI報告方法はクラスB報告である。NP CSI-RSとBF CSI-RSが同じプロセスに属している場合、このモードではCSI報告トリガ機構は存在しない。
【発明の概要】
【課題を解決するための手段】
【０００５】
本発明の実施形態は、ネットワークデバイス間のチャネル状態情報報告を制御して新しい情報報告方法を提供する情報報告方法および装置を提供する。
【０００６】
本発明の実施形態の第1の態様は、情報報告方法を提供し、この方法は、
第1のネットワークデバイスにより、制御情報の一部を第2のネットワークデバイスに送信して、第2のネットワークデバイスのチャネル状態情報を取得するステップと、第2のネットワークデバイスが制御情報を受信した後、第2の制御デバイスにより、制御情報から第1のネットワークデバイスが示すトリガ信号タイプおよびチャネル状態情報タイプを取得するステップと、を含み、これにより、第2のネットワークデバイスは、制御情報に示されるトリガ方法に基づいて、チャネル状態情報タイプに対応するターゲットチャネル状態情報を第1のネットワークデバイスに報告する。
【０００７】
上述の技術的解決策から、本発明の実施形態は以下の利点を有することが分かる。
【０００８】
第2のネットワークデバイスは、第1のネットワークデバイスによって送信された制御情報を受信し、制御情報はトリガ信号およびチャネル状態情報タイプを含み、トリガ信号は、第2のネットワークデバイスをトリガしてターゲットチャネル状態情報を第1のネットワークデバイスに報告するために使用され；第2のネットワークデバイスは、チャネル状態情報タイプに基づいてターゲットチャネル状態情報を決定し；第2のネットワークデバイスは、トリガ信号およびチャネル状態情報タイプに基づいて、ターゲットチャネル状態情報を第1のネットワークデバイスに報告する。第2のネットワークデバイスは、異なるチャネル状態情報タイプに基づいて、チャネル状態情報タイプに対応する報告機構を使用することによって、第1のネットワークデバイスにターゲットチャネル状態情報を報告することが理解され得る。したがって、1つのチャネル状態情報プロセスにNP CSI-RSとBF CSI-RSの両方が存在する場合には、第2のネットワークデバイスは、NP CSI-RSおよびBE CSI-RSにそれぞれ対応するチャネル状態情報タイプを使用することによって、ターゲットチャネル状態情報を第1のネットワークデバイスに報告する。
【０００９】
本発明の実施形態の第1の態様を参照すると、本発明の実施形態の第1の態様の第1の実装形態では、チャネル状態情報タイプは第1のタイプおよび第2のタイプを含み、第1のタイプは第1の伝送方式に対応するチャネル状態情報タイプであり、第2のタイプは第2の伝送方式に対応するチャネル状態情報タイプである。
【００１０】
この実装形態では、チャネル状態情報タイプがより明確かつより具体的になり、理解しやすくなる。
【００１１】
本発明の実施形態の第1の態様の第1の実装形態を参照すると、本発明の実施形態の第1の態様の第2の実装形態では、第2のネットワークデバイスが、チャネル状態情報タイプに基づいてターゲットチャネル状態情報を決定することが：
第2のネットワークデバイスが、チャネル状態情報タイプが第1のタイプであると決定した場合、第2のネットワークデバイスにより、ターゲットチャネル状態情報がターゲットチャネルの品質、ターゲットチャネルのランク、および／または第1の伝送方式に対応する第1のチャネルプリコーディング行列インデックスであると決定すること、または
第2のネットワークデバイスが、チャネル状態情報タイプが第2のタイプであると決定した場合、第2のネットワークデバイスにより、ターゲットチャネル状態情報がターゲットチャネルの品質、ターゲットチャネルのランク、および第2の伝送方式に対応する第2のチャネルプリコーディング行列インデックスであると決定すること、
を含む。
【００１２】
この実装形態では、第1のタイプおよび第2のタイプは、異なるターゲットチャネル状態情報に対応する。この場合、第2のネットワークデバイスは、第1のネットワークデバイスが知る必要があるターゲットチャネル状態情報をより明確に知ることができ、これにより、第1のネットワークデバイスと第2のネットワークデバイスとの間の通信がより明確かつより具体的になり、不正なデータ伝送が減少する。
【００１３】
本発明の実施形態の第1の態様の第2の実装形態を参照すると、本発明の実施形態の第1の態様の第3の実装形態では、第2のネットワークデバイスが第1のネットワークデバイスによって送信された制御情報を受信した後、方法は、
第2のネットワークデバイスが第1のネットワークデバイスによって送信された制御情報を受信した後、第2のネットワークデバイスにより、制御情報の第1のフィールドから、制御情報に含まれるチャネル状態情報タイプが第1のタイプか第2のタイプかを読み取るステップ
をさらに含み、
制御情報の第1のフィールドは、チャネル状態情報タイプが第1のタイプまたは第2のタイプであることを示すために使用される第1の指示情報を搬送する。
【００１４】
この実装形態では、第2のネットワークデバイスは、制御情報の第1のフィールドから、チャネル状態情報タイプが第1のタイプまたは第2のタイプであることを直接読み取る。この方法は簡単で便利であり、シグナリングオーバヘッドをある程度低減することができる。
【００１５】
本発明の実施形態の第1の態様を参照すると、本発明の実施形態の第1の態様の第4の可能な実装形態では、チャネル状態情報タイプは第3のタイプおよび第4のタイプを含み、第3のタイプは、プリコーディングされていないチャネル状態情報パイロットに基づく測定量に対応するチャネル状態情報タイプであり、第4のタイプは、ビーム形成されたチャネル状態情報パイロットに基づく測定量に対応するチャネル状態情報タイプである。
【００１６】
この実装形態では、チャネル状態情報タイプが分類されており、チャネル状態情報タイプはチャネル状態情報パイロットに関連していることが指摘されているので、チャネル状態情報タイプはより明確かつより具体的になり、理解しやすい。
【００１７】
本発明の実施形態の第1の態様の第4の可能な実装形態を参照すると、本発明の実施形態の第1の態様の第5の可能な実装形態では、第2のネットワークデバイスが、ターゲットチャネル状態情報をトリガ信号およびチャネル状態情報タイプに基づいて第1のワークデバイスに報告することが、
チャネル状態情報タイプが第3のタイプおよび第4のタイプを含み、2つの異なるチャネル状態情報タイプは2つの異なるタイプのターゲットチャネル状態情報にそれぞれ対応し、その対応関係において、第3のタイプは第1のタイプのターゲットチャネル状態情報に対応し、第4のタイプは第2のタイプのターゲットチャネル状態情報に対応すること
を含む。
【００１８】
第2のネットワークデバイスがチャネル状態情報タイプを知ると、第2のネットワークデバイスは、上記の対応関係に基づいて、ターゲットチャネル状態情報を決定する。
【００１９】
この実装形態では、異なるチャネル状態情報タイプが異なるターゲットチャネル状態情報に対応するので、第2のネットワークデバイスは、追加の動作を実行することなく、対応関係に基づいてターゲットチャネル状態情報を直接的に決定し、これにより、処理速度が向上する。
【００２０】
本発明の実施形態の第1の態様の第4の可能な実装形態を参照すると、本発明の実施形態の第1の態様の第6の可能な実装形態では、第2のネットワークデバイスが第1のネットワークデバイスによって送信された制御情報を受信した後、方法は、
第2のネットワークデバイスが第1のネットワークデバイスによって送信された制御情報を受信した後、第2のネットワークデバイスにより、制御情報から、制御情報に含まれるチャネル状態情報タイプが第3のタイプか第4のタイプかを読み取るステップ
をさらに含む。
【００２１】
第2のネットワークデバイスは、制御情報の第2のフィールドから前述の情報を読み取ることができる。
【００２２】
この実装形態では、第2のネットワークデバイスは、制御情報の第2のフィールドから、チャネル状態情報タイプが第3のタイプまたは第4のタイプであることを直接読み取る。この方法は簡単で便利であり、シグナリングオーバヘッドをある程度低減することができる。
【００２３】
本発明の実施形態の第1の態様のうちのいずれか1つ、すなわち本発明の実施形態の第1の態様の第1の可能な実装形態から本発明の実施形態の第1の態様の第6の可能な実装形態を参照すると、本発明の実施形態の第1の態様の第7の可能な実装形態では、トリガ信号はシングルトリガ信号またはマルチトリガ信号であり、シングルトリガ信号は、第2のネットワークデバイスをトリガしてターゲットチャネル状態情報を第1のネットワークデバイスに1回報告するために使用され、マルチトリガ信号は、第2のネットワークデバイスをトリガしてターゲットチャネル状態情報を第1のネットワークデバイスに少なくとも2回報告するために使用される。
【００２４】
この実装形態では、トリガ命令は、1回トリガを実行すること、または複数回にわたってトリガを実行することを含む。これにより、第2のネットワークデバイスがターゲットチャネル状態情報を報告するためにトリガされる報告方法が強化される。
【００２５】
本発明の実施形態の第1の態様の第7の可能な実装形態を参照すると、本発明の実施形態の第1の態様の第8の可能な実装形態では、第2のネットワークデバイスが第1のネットワークデバイスによって送信された制御情報を受信した後、方法は、
第2のネットワークデバイスが第1のネットワークデバイスによって送信された制御情報を受信した後、第2のネットワークデバイスにより、制御情報から、制御情報に含まれるトリガ信号がシングルトリガ信号かマルチトリガ信号かを読み取るステップ
をさらに含む。
【００２６】
第2のネットワークデバイスは、制御情報の第3のフィールドから前述の情報を読み取ることができる。
【００２７】
この実装形態では、第2のネットワークデバイスは、制御情報の第3のフィールドから、トリガ信号がシングルトリガ信号またはマルチトリガ信号であることを直接読み取る。この方法は簡単で便利であり、シグナリングオーバヘッドをある程度低減することができる。
【００２８】
本発明の実施形態の第1の態様の第4の可能な実装形態から本発明の実施形態の第1の態様の第6の可能な実装形態のいずれか1つを参照すると、本発明の実施形態の第1の態様の第9の可能な実装形態では、トリガ信号は第1のトリガ信号または第2のトリガ信号であり、第1のトリガ信号は、第2のネットワークデバイスをトリガして第1のタイプのターゲットチャネル状態情報を第1のネットワークデバイスに1回報告するために使用され、第2のトリガ信号は、第2のネットワークデバイスをトリガして第2のタイプのターゲットチャネル状態情報を第1のネットワークデバイスに少なくとも2回報告するために使用される。
【００２９】
この実装形態では、トリガ信号は第1のトリガ信号および第2のトリガ信号を含み、第1のトリガ信号および第2のトリガ信号は、第3のタイプおよび第4のタイプにそれぞれ対応する第1のタイプのターゲットチャネル状態情報および第2のタイプのターゲットチャネル状態情報にそれぞれ対応するため、報告が明確になり、報告の処理速度が向上する。
【００３０】
本発明の実施形態の第1の態様の第9の可能な実装形態を参照すると、本発明の実施形態の第1の態様の第10の可能な実装形態では、第2のネットワークデバイスが第1のネットワークデバイスによって送信された制御情報を受信した後、方法は、
第2のネットワークデバイスが第1のネットワークデバイスによって送信された制御情報を受信した後、第2のネットワークデバイスにより、制御情報から、制御情報に含まれるトリガ信号が第1のトリガ信号か第2のトリガ信号かを読み取るステップ
をさらに含む。
【００３１】
第2のネットワークデバイスは、制御情報の第4のフィールドから前述の情報を読み取ることができる。
【００３２】
この実装形態では、第2のネットワークデバイスは、制御情報の第4のフィールドから、トリガ信号が第1のトリガ信号または第2のトリガ信号であることを直接読み取る。この方法は簡単で便利であり、シグナリングオーバヘッドをある程度低減することができる。
【００３３】
本発明の実施形態の第1の態様を参照すると、本発明の実施形態の第1の態様の第10の可能な実装形態では、制御情報は制御チャネルで搬送される。
【００３４】
本発明の実施形態の第2の態様は、情報報告方法を提供し、この方法は、
第1のネットワークデバイスにより、制御情報を第2のネットワークデバイスに送信するステップであって、制御情報はトリガ信号およびチャネル状態情報タイプを含み、トリガ信号は、第2のネットワークデバイスをトリガしてターゲットチャネル状態情報を第1のネットワークデバイスに報告するために使用される、ステップと、
第1のネットワークデバイスにより、第2のネットワークデバイスによって送信されたターゲットチャネル状態情報を受信するステップと
を含む。
【００３５】
上述した技術的解決策から、本発明の実施形態では、第1のネットワークデバイスがターゲット制御情報を受信するプロセスにおける受信モードが、制御情報内のトリガ信号およびチャネル状態情報タイプに対応するという利点を有することが分かる。同様に、第1のネットワークデバイスによって受信されたターゲット制御情報もまた、制御情報内のトリガ信号およびチャネル状態情報タイプに対応する。したがって、本発明の実施形態は、新しい情報報告方法を提供する。
【００３６】
本発明の実施形態の第2の態様を参照すると、本発明の実施形態の第2の態様の第1の可能な実装形態では、チャネル状態情報タイプは第1のタイプおよび第2のタイプを含み、第1のタイプは第1の伝送方式に対応するチャネル状態情報タイプであり、第2のタイプは第2の伝送方式に対応するチャネル状態情報タイプである。
【００３７】
この実装形態では、チャネル状態情報タイプがより明確かつより具体的になり、理解しやすくなる。
【００３８】
本発明の実施形態の第2の態様を参照すると、本発明の実施形態の第2の態様の第2の可能な実装形態では、チャネル状態情報タイプは第3のタイプおよび第4のタイプを含み、第3のタイプは、プリコーディングされていないチャネル状態情報パイロットに基づく測定量に対応するチャネル状態情報タイプであり、第4のタイプは、ビーム形成されたチャネル状態情報パイロットに基づく測定量に対応するチャネル状態情報タイプである。
【００３９】
この実装形態では、チャネル状態情報タイプが分類されており、チャネル状態情報タイプはチャネル状態情報パイロット測定量に関連していることが指摘されているので、チャネル状態情報タイプはより明確かつより具体的になり、理解しやすい。
【００４０】
本発明の実施形態の第2の態様を参照すると、本発明の実施形態の第2の態様の第3の可能な実装形態では、トリガ信号はシングルトリガ信号またはマルチトリガ信号であり、シングルトリガ信号は、第2のネットワークデバイスをトリガしてターゲットチャネル状態情報を第1のネットワークデバイスに1回報告するために使用され、マルチトリガ信号は、第2のネットワークデバイスをトリガしてターゲットチャネル状態情報を第1のネットワークデバイスに少なくとも2回報告するために使用される。
【００４１】
この実装形態では、トリガ命令は、1回トリガを実行すること、または複数回にわたってトリガを実行することを含む。これにより、ターゲットチャネル状態情報を報告するために第2の端末がトリガされる報告方法が強化される。
【００４２】
本発明の実施形態の第2の態様を参照すると、本発明の実施形態の第2の態様の第4の可能な実装形態では、トリガ信号は第1のトリガ信号および第2のトリガ信号であり、第1のトリガ信号は、第2のネットワークデバイスをトリガして第1のタイプのターゲットチャネル状態情報を第1のネットワークデバイスに1回報告するために使用され、第2のトリガ信号は、第2のネットワークデバイスをトリガして第2のタイプのターゲットチャネル状態情報を第1のネットワークデバイスに少なくとも2回報告するために使用される。
【００４３】
この実装形態では、トリガ信号は第1のトリガ信号または2のトリガ信号であり、第1のトリガ信号は、第3のタイプに対応する第1のタイプのターゲットチャネル状態情報に対応し、第2のトリガ信号は、第4のタイプに対応する第2のタイプのターゲットチャネル状態情報に対応するため、報告が明確になり、報告の処理速度が向上する。
【００４４】
本発明の実施形態の第2の態様を参照すると、本発明の実施形態の第2の態様の第5の可能な実装形態では、制御情報は、第1のフィールド、第2のフィールド、第3のフィールド、または第4のフィールドをさらに含む。この実装形態では、制御情報の対応するフィールドが、異なる情報を搬送するために使用される。この方法は簡単で便利であり、シグナリングオーバヘッドをある程度低減することができる。
【００４５】
本発明の実施形態の第3の態様は、第2のネットワークデバイスを提供し、この第2のネットワークデバイスは、
第1のネットワークデバイスによって送信された制御情報を受信するように構成された受信ユニットであって、制御情報はトリガ信号およびチャネル状態情報タイプを含み、トリガ信号は、第2のネットワークデバイスをトリガしてターゲットチャネル状態情報を第1のネットワークデバイスに報告するために使用される、受信ユニットと、
チャネル状態情報タイプに基づいてターゲットチャネル状態情報を決定するように構成された第1の決定ユニットと、
トリガ信号およびチャネル状態情報タイプに基づいて、ターゲットチャネル状態情報を第1のネットワークデバイスに報告するように構成された報告ユニットと
を含む。
【００４６】
上述の技術的解決策から、本発明の実施形態は以下の利点を有することが分かる。
【００４７】
報告ユニットは、異なるチャネル状態情報タイプに基づいて、チャネル状態情報タイプに対応する報告機構を使用することによって、第1のネットワークデバイスにターゲットチャネル状態情報を報告する。したがって、1つのチャネル状態情報プロセスにNP CSI-RSとBF CSI-RSの両方が存在する場合には、報告ユニットは、NP CSI-RSおよびBE CSI-RSにそれぞれ対応するチャネル状態情報タイプを使用することによって、ターゲットチャネル状態情報を第1のネットワークデバイスに報告する。
【００４８】
本発明の実施形態の第3の態様を参照すると、本発明の実施形態の第3の態様の第1の可能な実装形態では、チャネル状態情報タイプは第1のタイプおよび第2のタイプを含み、第1のタイプは第1の伝送方式に対応するチャネル状態情報タイプであり、第2のタイプは第2の伝送方式に対応するチャネル状態情報タイプである。
【００４９】
この実装形態では、チャネル状態情報タイプがより明確かつより具体的になり、理解しやすくなる。
【００５０】
本発明の実施形態の第3の態様の第1の可能な実装形態を参照すると、本発明の実施形態の第3の態様の第2の可能な実装形態において、第1の決定ユニットは、
チャネル状態情報タイプが第1のタイプである場合、ターゲットチャネル状態情報がターゲットチャネルの品質、ターゲットチャネルのランク、および／または第1のチャネルプリコーディング行列インデックスであると決定するように構成された第1の決定モジュールと、
チャネル状態情報タイプが第2のタイプである場合、ターゲットチャネル状態情報がターゲットチャネルの品質、ターゲットチャネルのランク、および第2のチャネルプリコーディング行列インデックスであると決定するように構成された第2の決定モジュールと
をさらに含む。
【００５１】
この実装形態では、第1のタイプおよび第2のタイプは、異なるターゲットチャネル状態情報に対応する。この場合、決定ユニットは、第1のネットワークデバイスが知る必要があるターゲットチャネル状態情報をより明確に知ることができ、これにより、第1のネットワークデバイスと第2のネットワークデバイスとの間の通信がより明確かつより具体的になり、不正なデータ伝送が減少する。
【００５２】
本発明の実施形態の第3の態様の第2の可能な実装形態を参照すると、本発明の実施形態の第3の態様の第3の可能な実装形態では、第2のネットワークデバイスは、
制御情報の第1のフィールドを使用して、チャネル状態情報タイプが第1のタイプまたは第2のタイプであることを決定するように構成された第2の決定ユニットであって、第1のフィールドは第1の指示情報を搬送し、第1の指示情報は、チャネル状態情報タイプが第1のタイプまたは第2のタイプであることを示すために使用される、第2の決定ユニット
をさらに含む。この実装形態では、第2の決定ユニットは、制御情報の第1のフィールドから、チャネル状態情報タイプが第1のタイプまたは第2のタイプであることを読み取る。この方法は簡単で便利であり、シグナリングオーバヘッドをある程度低減することができる。
【００５３】
本発明の実施形態の第3の態様を参照すると、本発明の実施形態の第3の態様の第4の可能な実装形態では、チャネル状態情報タイプは第3のタイプおよび第4のタイプを含み、第3のタイプは、プリコーディングされていないチャネル状態情報パイロットに基づく測定量に対応するチャネル状態情報タイプであり、第4のタイプは、ビーム形成されたチャネル状態情報パイロットに基づく測定量に対応するチャネル状態情報タイプである。
【００５４】
この実装形態では、チャネル状態情報タイプが分類されており、チャネル状態情報タイプはチャネル状態情報パイロット測定量に関連していることが指摘されているので、チャネル状態情報タイプはより明確かつより具体的になり、理解しやすい。
【００５５】
本発明の実施形態の第3の態様の第4の可能な実装形態を参照すると、本発明の実施形態の第3の態様の第5の可能な実装形態では、報告ユニットは、
チャネル状態情報タイプが第3のタイプである場合、トリガ信号に基づいて第1のタイプのターゲットチャネル状態情報を報告するように構成された第1の報告モジュールであって、第1のタイプのターゲットチャネル状態情報は、プリコーディングされていないチャネル状態情報基準信号に基づく測定量に対応するチャネル状態情報である、第1の報告モジュールと、
チャネル状態情報タイプが第4のタイプである場合、トリガ信号に基づいて第2のタイプのターゲットチャネル状態情報を報告するように構成された第2の報告モジュールであって、第2のタイプのターゲットチャネル状態情報は、ビーム形成されたチャネル状態情報基準信号に基づく測定量に対応するチャネル状態情報である、第2の報告モジュールと
をさらに含む。
【００５６】
この実装形態では、異なるチャネル状態情報タイプが異なるターゲットチャネル状態情報に対応しているので、第1の報告モジュールおよび第2の報告モジュールは、ターゲットチャネル状態情報を決定する際に、追加の動作を実行することなく、対応関係に基づいてターゲットチャネル状態情報を直接報告することができ、これにより、処理速度が向上する。
【００５７】
本発明の実施形態の第3の態様の第4の可能な実装形態を参照すると、本発明の実施形態の第3の態様の第6の可能な実装形態では、第2のネットワークデバイスは、
制御情報の第2のフィールドを使用して、チャネル状態情報タイプが第3のタイプまたは第4のタイプであることを決定するように構成された第3の決定ユニットであって、第2のフィールドは第2の指示情報を搬送し、第2の指示情報は、チャネル状態情報タイプが第3のタイプまたは第4のタイプであることを示すために使用される、第3の決定ユニット
をさらに含む。
【００５８】
この実装形態では、第3の決定ユニットは、制御情報の第2のフィールドから、チャネル状態情報タイプが第3のタイプまたは第4のタイプであることを直接読み取る。この方法は簡単で便利であり、シグナリングオーバヘッドをある程度低減することができる。
【００５９】
本発明の実施形態の第3の態様のうちのいずれか1つ、すなわち本発明の実施形態の第3の態様の第1の可能な実装形態から本発明の実施形態の第3の態様の第6の可能な実装形態を参照すると、本発明の実施形態の第3の態様の第7の可能な実装形態では、トリガ信号はシングルトリガ信号またはマルチトリガ信号であり、シングルトリガ信号は、第2のネットワークデバイスをトリガしてターゲットチャネル状態情報を第1のネットワークデバイスに1回報告するために使用され、マルチトリガ信号は、第2のネットワークデバイスをトリガしてターゲットチャネル状態情報を第1のネットワークデバイスに少なくとも2回報告するために使用される。
【００６０】
この実装形態では、トリガ命令は、1回トリガを実行すること、または複数回にわたってトリガを実行することを含む。これにより、報告ユニットがターゲットチャネル状態情報を報告するためにトリガされる報告方法が強化される。
【００６１】
本発明の実施形態の第3の態様の第7の可能な実装形態を参照すると、本発明の実施形態の第3の態様の第8の可能な実装形態では、第2のネットワークデバイスは、
制御情報の第3のフィールドを使用して、トリガ信号がシングルトリガ信号またはマルチトリガ信号であることを決定するように構成された第4の決定ユニットであって、第3のフィールドは第3の指示情報および第4の指示情報を搬送し、第3の指示情報は、トリガ信号がシングルトリガ信号またはマルチトリガ信号であることを示すために使用され、第4の指示情報は、チャネル状態情報タイプを示すために使用される、第4の決定ユニット
をさらに含む。
【００６２】
この実装形態では、第4の決定ユニットは、トリガ信号がシングルトリガ信号またはマルチトリガ信号であることを、制御情報の第3のフィールドから読み取る。この方法は簡単で便利であり、シグナリングオーバヘッドをある程度低減することができる。
【００６３】
本発明の実施形態の第3の態様の第4の可能な実装形態から本発明の実施形態の第3の態様の第6の可能な実装形態のいずれか1つを参照すると、本発明の実施形態の第3の態様の第9の可能な実装形態では、トリガ信号は第1のトリガ信号および第2のトリガ信号であり、第1のトリガ信号は、第2のネットワークデバイスをトリガして第1のタイプのターゲットチャネル状態情報を第1のネットワークデバイスに1回報告するために使用され、第2のトリガ信号は、第2のネットワークデバイスをトリガして第2のタイプのターゲットチャネル状態情報を第1のネットワークデバイスに少なくとも2回報告するために使用される。
【００６４】
この実装形態では、トリガ信号は第1のトリガ信号または2のトリガ信号であり、第1のトリガ信号は、第3のタイプに対応する第1のタイプのターゲットチャネル状態情報に対応し、第2のトリガ信号は、第4のタイプに対応する第2のタイプのターゲットチャネル状態情報に対応するため、報告が明確になり、報告の処理速度が向上する。
【００６５】
本発明の実施形態の第3の態様の第9の可能な実装形態を参照すると、本発明の実施形態の第3の態様の第10の可能な実装形態では、第2のネットワークデバイスは、
制御情報の第4のフィールドを使用して、トリガ信号が第1のトリガ信号または第2のトリガ信号であることを決定するように構成された第5の決定ユニットであって、第4のフィールドは第5の指示情報および第6の指示情報を搬送し、第5の指示情報は、トリガ信号が第1のトリガ信号または第2のトリガ信号であることを示すために使用され、第6の指示情報は、チャネル状態情報タイプが第1のタイプのターゲットチャネル状態情報または第2のタイプのターゲットチャネル状態情報であることを示すために使用される、第5の決定ユニット
をさらに含む。
【００６６】
この実装形態では、第5の決定ユニットは、制御情報の第4のフィールドから、トリガ信号が第1のトリガ信号または第2のトリガ信号であることを読み取る。この方法は簡単で便利であり、シグナリングオーバヘッドをある程度低減することができる。
【００６７】
本発明の実施形態の第3の態様を参照すると、本発明の実施形態の第3の態様の第11の可能な実装形態では、制御情報は制御チャネルで搬送される。
【００６８】
本発明の実施形態の第4の態様は、第1のネットワークデバイスを提供し、この第1のネットワークデバイスは、
制御情報を第2のネットワークデバイスに送信するように構成された送信ユニットであって、制御情報はトリガ信号およびチャネル状態情報タイプを含み、トリガ信号は、第2のネットワークデバイスをトリガしてターゲットチャネル状態情報を第1のネットワークデバイスに報告するために使用される、送信ユニットと、
第2のネットワークデバイスによって送信されたターゲットチャネル状態情報を受信するように構成された受信ユニットと
を含む。
【００６９】
上述した技術的解決策から、本発明の実施形態では、受信ユニットがターゲット制御情報を受信するプロセスにおける受信モードが、制御情報内のトリガ信号およびチャネル状態情報タイプに対応するという利点を有することが分かる。同様に、受信ユニットによって受信されたターゲット制御情報もまた、制御情報内のトリガ信号およびチャネル状態情報タイプに対応する。したがって、本発明の実施形態は、新しい情報報告方法を提供する。
【００７０】
本発明の実施形態の第4の態様を参照すると、本発明の実施形態の第4の態様の第1の可能な実装形態では、チャネル状態情報タイプは第1のタイプおよび第2のタイプを含み、第1のタイプは第1の伝送方式に対応するチャネル状態情報タイプであり、第2のタイプは第2の伝送方式に対応するチャネル状態情報タイプである。
【００７１】
この実装形態では、チャネル状態情報タイプがより明確かつより具体的になり、理解しやすくなる。
【００７２】
本発明の実施形態の第4の態様を参照すると、本発明の実施形態の第4の態様の第2の可能な実装形態では、チャネル状態情報タイプは第3のタイプおよび第4のタイプを含み、第3のタイプは、プリコーディングされていないチャネル状態情報パイロットに基づく測定量に対応するチャネル状態情報タイプであり、第4のタイプは、ビーム形成されたチャネル状態情報パイロットに基づく測定量に対応するチャネル状態情報タイプである。
【００７３】
この実装形態では、チャネル状態情報タイプが分類されており、チャネル状態情報タイプはチャネル状態情報パイロット測定量に関連していることが指摘されているので、チャネル状態情報タイプはより明確かつより具体的になり、理解しやすい。
【００７４】
本発明の実施形態の第4の態様を参照すると、本発明の実施形態の第4の態様の第3の可能な実装形態では、トリガ信号はシングルトリガ信号またはマルチトリガ信号であり、シングルトリガ信号は、第2のネットワークデバイスをトリガしてターゲットチャネル状態情報を第1のネットワークデバイスに1回報告するために使用され、マルチトリガ信号は、第2のネットワークデバイスをトリガしてターゲットチャネル状態情報を第1のネットワークデバイスに少なくとも2回報告するために使用される。
【００７５】
この実装形態では、トリガ命令は、1回トリガを実行すること、または複数回にわたってトリガを実行することを含む。これにより、ターゲットチャネル状態情報を報告するために第2の端末がトリガされる報告方法が強化される。
【００７６】
本発明の実施形態の第4の態様を参照すると、本発明の実施形態の第4の態様の第4の可能な実装形態では、トリガ信号は第1のトリガ信号または第2のトリガ信号であり、第1のトリガ信号は、第2のネットワークデバイスをトリガして第1のタイプのターゲットチャネル状態情報を第1のネットワークデバイスに1回報告するために使用され、第2のトリガ信号は、第2のネットワークデバイスをトリガして第2のタイプのターゲットチャネル状態情報を第1のネットワークデバイスに少なくとも2回報告するために使用される。
【００７７】
この実装形態では、トリガ信号は第1のトリガ信号または2のトリガ信号を含み、第1のトリガ信号は、第3のタイプに対応する第1のタイプのターゲットチャネル状態情報に対応し、第2のトリガ信号は、第4のタイプに対応する第2のタイプのターゲットチャネル状態情報に対応するため、報告が明確になり、報告の処理速度が向上する。
【００７８】
本発明の実施形態の第4の態様を参照すると、本発明の実施形態の第4の態様の第5の可能な実装形態では、制御情報は、第1のフィールド、第2のフィールド、第3のフィールド、または第4のフィールドをさらに含む。
【００７９】
この実装形態では、異なる情報を搬送するために、異なる符号化フィールドまたは制御情報に含まれる異なるフィールドが使用される。この方法は簡単で便利であり、シグナリングオーバヘッドをある程度低減することができる。
【００８０】
本発明の実施形態の第5の態様は、第2のネットワークデバイスを提供し、この第2のネットワークデバイスは、
入力デバイス、出力デバイス、プロセッサ、記憶デバイス、およびバスを含み、
入力デバイス、出力デバイス、プロセッサ、およびメモリは、バスを用いて接続され、
プロセッサは、
第1のネットワークデバイスによって送信された制御情報を受信する動作であって、制御情報はトリガ信号およびチャネル状態情報タイプを含み、トリガ信号は、第2のネットワークデバイスをトリガしてターゲットチャネル状態情報を第1のネットワークデバイスに報告するために使用される、動作と、
チャネル状態情報タイプに基づいてターゲットチャネル状態情報を決定する動作と、
トリガ信号およびチャネル状態情報タイプに基づいて、ターゲットチャネル状態情報を第1のネットワークデバイスに報告する動作と
を実行する。
【００８１】
上述の技術的解決策から、本発明の実施形態は以下の利点を有することが分かる。
【００８２】
プロセッサは、第1のネットワークデバイスによって送信された制御情報を受信し、制御情報はトリガ信号およびチャネル状態情報タイプを含み、トリガ信号は、第2のネットワークデバイスをトリガしてターゲットチャネル状態情報を第1のネットワークデバイスに報告するために使用され；プロセッサは、チャネル状態情報タイプに基づいてターゲットチャネル状態情報を決定し；プロセッサは、トリガ信号およびチャネル状態情報タイプに基づいて、ターゲットチャネル状態情報を第1のネットワークデバイスに報告する。プロセッサは、異なるチャネル状態情報タイプに基づいて、チャネル状態情報タイプに対応する報告機構を使用することによって、第1のネットワークデバイスにターゲットチャネル状態情報を報告することが理解され得る。したがって、1つのチャネル状態情報プロセスにNP CSI-RSとBF CSI-RSの両方が存在する場合には、プロセッサは、NP CSI-RSおよびBE CSI-RSにそれぞれ対応するチャネル状態情報タイプを使用することによって、ターゲットチャネル状態情報を第1のネットワークデバイスに報告する。
【００８３】
本発明の実施形態の第6の態様は、第1のネットワークデバイスを提供し、この第1のネットワークデバイスは、
入力デバイス、出力デバイス、プロセッサ、記憶デバイス、およびバスを含み、
入力デバイス、出力デバイス、プロセッサ、およびメモリは、バスを用いて接続され、
プロセッサは、
第2のネットワークデバイスに制御情報を送信する動作であって、制御情報はトリガ信号およびチャネル状態情報タイプを含み、トリガ信号は、第2のネットワークデバイスをトリガしてターゲットチャネル状態情報を第1のネットワークデバイスに報告するために使用される、動作と、
第2のネットワークデバイスによって送信されたターゲットチャネル状態情報を受信する動作と
を実行する。
【００８４】
上述の技術的解決策から、本発明の実施形態は以下の利点を有することが分かる。
【００８５】
プロセッサがターゲット制御情報を受信するプロセスにおける受信モードは、制御情報内のトリガ信号およびチャネル状態情報タイプに対応する。同様に、プロセッサによって受信されたターゲット制御情報もまた、制御情報内のトリガ信号およびチャネル状態情報タイプに対応する。したがって、本発明の実施形態は、新しい情報報告方法を提供する。
【図面の簡単な説明】
【００８６】
【図１】本発明の一実施形態による情報報告方法の一実施形態の概略図である。
【図２】本発明の一実施形態による情報報告方法の別の実施形態の概略図である。
【図３】本発明の一実施形態による情報報告方法の情報報告プロセスの概略図である。
【図４】本発明の一実施形態による情報報告方法の別の情報報告プロセスの概略図である。
【図５】本発明の一実施形態による情報報告方法の別の情報報告プロセスの概略図である。
【図６】本発明の一実施形態による情報報告方法の別の情報報告プロセスの概略図である。
【図７】本発明の一実施形態による第2のネットワークデバイスの一実施形態の概略図である。
【図８】本発明の一実施形態による第2のネットワークデバイスの別の実施形態の概略図である。
【図９】本発明の一実施形態による第2のネットワークデバイスの別の実施形態の概略図である。
【図１０】本発明の一実施形態による第1のネットワークデバイスの一実施形態の概略図である。
【図１１】本発明の一実施形態による第2のネットワークデバイスの別の実施形態の概略図である。
【図１２】本発明の一実施形態による第1のネットワークデバイスの別の実施形態の概略図である。
【発明を実施するための形態】
【００８７】
本発明の実施形態は、ネットワークデバイス間のチャネル状態情報報告を制御して新しい情報報告方法を提供する情報報告方法および装置を提供する。
【００８８】
当業者が本発明の実施形態の技術的解決策をよりよく理解するために、本発明の実施形態における技術的解決策を、本発明の実施形態における添付の図面を参照して、より明確かつ完全に以下に説明する。明らかに、説明される実施形態は、本発明の実施形態のすべてではなく、単に一部である。創造的な取り組みをすることなく、本発明の実施形態に基づいて当業者によって得られる他のすべての実施形態は、本発明の保護範囲内に含まれるものとする。
【００８９】
本発明の明細書、特許請求の範囲、および添付図面において、「第1」、「第2」、「第3」、「第4」等（もしあれば）の用語は類似のオブジェクトを区別することを意図しているが、必ずしも特定の順序または配列を示すものではない。そのように言及されたデータは、本明細書に記載された本発明の実施形態が、本明細書に図示または記載された順序とは異なる順序で実施され得るように、適切な状況において交換可能であることを理解されたい。さらに、用語「含む（include，contain）」および任意の他の変形は、非排他的な包含をカバーすることを意味し、例えば、ステップまたはユニットの列挙を含むプロセス、方法、システム、製品、またはデバイスが、それらのユニットに必ずしも限定されないが、そのようなプロセス、方法、システム、製品、またはデバイスに明確に列挙されていないまたは固有でない他のユニットを含んでもよい。
【００９０】
現代の通信システムにおいて不可欠な部分として、情報の報告は現代の通信システムにおいて重要な役割を果たし、通信デバイス間の協調動作の基本的な保証である。通信ネットワーク内の各通信タスクは、少なくとも2つのネットワークデバイスによって実行される必要がある。情報報告などの通信タスクの具体的な通信プロセスは、通常、以下の通りである。第1の通信デバイスは、制御情報を第2の通信デバイスに送信し、制御情報は、第2の通信デバイスにターゲット情報を取得するよう指示し、ターゲット情報を第1の通信デバイスに報告するために使用され；制御情報を受信した後、第2の通信デバイスは、制御情報に基づいて対応するターゲット情報を取得し、第1の通信デバイスにターゲット情報を送信し；第1の通信デバイスはターゲット情報を受信する。その後、通信プロセスが終了する。
【００９１】
理解を容易にするために、実施形態では、チャネル状態情報タイプは、異なる伝送方式に対応するチャネル状態情報タイプと、異なるチャネル状態情報パイロットに対応するチャネル状態情報タイプの2つの主なタイプに分類される。以下では、上述した2つの異なるチャネル状態情報タイプに基づいて、本発明の実施形態におけるチャネル状態情報報告方法を詳細に説明する。
【００９２】
以下の実施形態では、第1のネットワークデバイスがeNBであり、第2のネットワークデバイスがモバイル端末である例を用いて説明する。
【００９３】
1．開ループ伝送、半開ループ伝送、および閉ループ伝送に対応するチャネル状態情報報告方法
図1を参照して、本発明の一実施形態における情報報告方法について説明する。
【００９４】
101．第1のネットワークデバイスは、制御情報を第2のネットワークデバイスに送信する。
【００９５】
この実施形態では、第1のネットワークデバイスは、第2のネットワークデバイスが占有するチャネルのチャネル状態を取得する必要がある場合、第1のネットワークデバイスは、第2のデバイスに制御情報を送信する。制御情報は、ターゲットチャネル状態情報を第1のネットワークデバイスに送信するように第2のネットワークデバイスに指示するために使用され、制御情報は、制御チャネルPDCCHで搬送される。
【００９６】
102．第2のネットワークデバイスは、制御情報に基づいて、チャネル状態情報タイプが第1のタイプまたは第2のタイプであると決定する。
【００９７】
この実施形態では、第1のタイプは、開ループ伝送方式または半開ループ伝送方式に対応するチャネル状態情報タイプであり、第2のタイプは、閉ループ伝送方式に対応するチャネル状態情報タイプであり、制御情報は、チャネル状態情報タイプを示す第1フィールドを搬送し、第2のネットワークデバイスは、制御情報の第1フィールドを読み取ることによって、チャネル状態情報タイプが第1のタイプまたは第2のタイプであることを知る。
【００９８】
第1のネットワークデバイスおよび第2のネットワークデバイスが第1のタイプまたは第2のタイプを第1のフィールドに符号化する符号化モードは、以下の通りである。
【００９９】
（1）制御情報における第1のフィールドの符号化モード1は、以下の符号化テーブルに詳述される。
【０１００】
【表１】
2019524032.tif 000003
【０１０１】
第1のフィールドのサービングネットワーク要素Cは、データ伝送のために第1のネットワークデバイスによって第2のネットワークデバイスに定期的にスケジューリングされるキャリアである。サービングネットワーク要素の第1グループおよびサービングネットワーク要素の第2グループは、両方とも第1のネットワークデバイスによって定義され、第1のネットワークデバイスおよび第2のネットワークデバイスの両方によって知られているネットワーク要素である。
【０１０２】
（2）制御情報における第1のフィールドの符号化モード2は、以下の符号化テーブルに詳述される。
【０１０３】
【表２】
2019524032.tif 000004
【０１０４】
第1のフィールドのサービングネットワーク要素Cは、データ伝送のために第1のネットワークデバイスによって第2のネットワークデバイスに定期的にスケジューリングされるキャリアである。サービングネットワーク要素の第1グループおよびサービングネットワーク要素の第2グループは、両方とも第1のネットワークデバイスによって定義され、第1のネットワークデバイスおよび第2のネットワークデバイスの両方によって知られているネットワーク要素である。
【０１０５】
（3）制御情報における第1のフィールドの符号化モード3は、以下の符号化テーブルに詳述される。
【０１０６】
【表３】
2019524032.tif 000005
【０１０７】
第1のフィールドのサービングネットワーク要素Cは、データ伝送のために第1のネットワークデバイスによって第2のネットワークデバイスに定期的にスケジューリングされるキャリアである。サービングネットワーク要素の第1グループおよびサービングネットワーク要素の第2グループは、両方とも第1のネットワークデバイスによって定義され、第1のネットワークデバイスおよび第2のネットワークデバイスの両方によって知られているネットワーク要素である。
【０１０８】
（2）制御情報における第1のフィールドの符号化モード4は、以下の符号化テーブルに詳述される。
【０１０９】
【表４】
2019524032.tif 000006
【０１１０】
第1のフィールドのサービングネットワーク要素Cは、データ伝送のために第1のネットワークデバイスによって第2のネットワークデバイスに定期的にスケジューリングされるキャリアである。サービングネットワーク要素の第1グループおよびサービングネットワーク要素の第2グループは、両方とも第1のネットワークデバイスによって定義され、第1のネットワークデバイスおよび第2のネットワークデバイスの両方によって知られているネットワーク要素である。
【０１１１】
また、この実施形態では、制御情報における第1のフィールドの符号化モードを代替的に他の符号化モードとしてもよいが、これはこの時点では限定されない。
【０１１２】
103．第2のネットワークデバイスは、第1のタイプに基づいてターゲットチャネル状態情報を決定する。
【０１１３】
この実施形態では、第1のタイプは開ループ伝送方式または半開ループ伝送方式に対応し、第2のネットワークデバイスが、制御情報の第1のフィールドを読み取ることによって、チャネル状態情報が第1のタイプであると決定し、伝送方式が開ループ伝送方式である場合、第2のネットワークデバイスは、ターゲットチャネル状態情報がターゲットチャネルの品質およびターゲットチャネルのランクであると決定する；または、伝送方式が半開ループ伝送方式である場合、第2のネットワークデバイスは、ターゲットチャネル状態情報がターゲットチャネルの品質、ターゲットチャネルのランク、およびターゲットチャネルのいくつかのプリコーディング行列インデックスであると決定する。
【０１１４】
104．第2のネットワークデバイスは、第2のタイプに基づいて、ターゲットチャネル状態情報を決定する。
【０１１５】
この実施形態では、第2のタイプは閉ループ伝送方式に対応し、第2のネットワークデバイスが、制御情報の第1のフィールドを読み取ることによって、チャネル状態情報が第2のタイプであると決定した場合、第2のネットワークデバイスは、ターゲットチャネル状態情報がターゲットチャネルの品質、ターゲットチャネルのランク、およびターゲットチャネルのすべてのプリコーディング行列インデックスであると決定する。
【０１１６】
105．第2のネットワークデバイスは、制御情報に基づいて、トリガ信号がシングルトリガ信号またはマルチトリガ信号であると決定する。
【０１１７】
この実施形態では、シングルトリガ信号を使用して第2のネットワークデバイスをトリガし、ターゲットチャネル状態情報を第1のネットワークデバイスに1回送信する。同様に、トリガ信号がマルチトリガ信号である場合、第2のネットワークデバイスは、ターゲットチャネル状態情報を第1のネットワークデバイスに少なくとも2回送信することができる。1つのチャネル状態情報報告プロセスでは、トリガ信号は1つだけである。トリガ信号をシングルトリガ信号またはマルチトリガ信号として定義することは、関数定義に過ぎず、トリガ信号の量に制限を課さない。
【０１１８】
第2のネットワークデバイスは、制御情報の第3のフィールドを読み取ることによって、トリガ信号がシングルトリガ信号またはマルチトリガ信号であることを知る。第3のフィールドには、以下の符号化モードがある。ただし、第3のフィールドの他の符号化モードは、本明細書に限定されない。
【０１１９】
（1）制御情報における第3のフィールドの符号化モード1は、以下の符号化テーブルに詳述される。
【０１２０】
【表５】
2019524032.tif 000007
【０１２１】
第3のフィールドのサービングネットワーク要素Cは、データ伝送のために第1のネットワークデバイスによって第2のネットワークデバイスに定期的にスケジューリングされるキャリアである。サービングネットワーク要素の第1のグループは、第1のネットワークデバイスによって定義され、第1のネットワークデバイスと第2のネットワークデバイスの両方によって知られているネットワーク要素である。
【０１２２】
（2）制御情報における第3のフィールドの符号化モード2は、以下の符号化テーブルに詳述される。
【０１２３】
【表６】
2019524032.tif 000008
【０１２４】
第3のフィールドのサービングネットワーク要素Cは、データ伝送のために第1のネットワークデバイスによって第2のネットワークデバイスに定期的にスケジューリングされるキャリアである。サービングネットワーク要素の第1グループおよびサービングネットワーク要素の第2グループは、両方とも第1のネットワークデバイスによって定義され、第1のネットワークデバイスおよび第2のネットワークデバイスの両方によって知られているネットワーク要素である。特に指定しない限り、トリガはデフォルトではシングルトリガである。
【０１２５】
106．第2のネットワークデバイスは、シングルトリガ信号およびチャネル状態情報タイプに基づいて、ターゲットチャネル状態情報を第1のネットワークデバイスに1回報告する。
【０１２６】
この実施形態では、トリガ信号がシングルトリガ信号であるとき、チャネル状態情報タイプが第1のタイプであり、第1のタイプが開ループ伝送方式に対応する場合、第2のネットワークデバイスは、ターゲットチャネルの品質とターゲットチャネルのランクを第1のネットワークデバイスに1回送信する。
【０１２７】
トリガ信号がシングルトリガ信号であるとき、チャネル状態情報タイプが第1のタイプであり、第1のタイプが半開ループ伝送方式に対応する場合、第2のネットワークデバイスは、ターゲットチャネルの品質、ターゲットチャネルのランク、およびターゲットチャネルのいくつかのプリコーディング行列インデックスを第1のネットワークデバイスに1回送信する。
【０１２８】
トリガ信号がシングルトリガ信号であるとき、チャネル状態情報タイプが第1のタイプであり、第1のタイプが閉ループ伝送方式に対応する場合、第2のネットワークデバイスは、ターゲットチャネルの品質、ターゲットチャネルのランク、およびターゲットチャネルのすべてのプリコーディング行列インデックスを第1のネットワークデバイスに1回送信する。さらに、単回の情報報告の簡単な概略図が図3に示されている。
【０１２９】
107．第2のネットワークデバイスは、マルチトリガ信号およびチャネル状態情報タイプに基づいて、ターゲットチャネル状態情報を第1のネットワークデバイスに少なくとも2回報告する。
【０１３０】
この実施形態では、トリガ信号がマルチトリガ信号であるとき、チャネル状態情報タイプが第2のタイプであり、第2のタイプが開ループ伝送方式に対応する場合、第2のネットワークデバイスは、ターゲットチャネルの品質とターゲットチャネルのランクを第1のネットワークデバイスに複数回送信する。
【０１３１】
トリガ信号がマルチトリガ信号であるとき、チャネル状態情報タイプが第2のタイプであり、第2のタイプが半開ループ伝送方式に対応する場合、第2のネットワークデバイスは、ターゲットチャネルの品質、ターゲットチャネルのランク、およびターゲットチャネルのいくつかのプリコーディング行列インデックスを第1のネットワークデバイスに複数回送信する。
【０１３２】
トリガ信号がマルチトリガ信号であるとき、チャネル状態情報タイプが第2のタイプであり、第2のタイプが閉ループ伝送方式に対応する場合、第2のネットワークデバイスは、ターゲットチャネルの品質、ターゲットチャネルのランク、およびターゲットチャネルのすべてのプリコーディング行列インデックスを第1のネットワークデバイスに複数回送信する。さらに、複数回の報告情報の簡単な概略図が図4に示されている。
【０１３３】
さらに、この実装形態におけるシングルトリガ信号またはマルチトリガ信号は、他のチャネル状態情報タイプのチャネル状態情報の報告をトリガするためにさらに使用されてもよい。これは本明細書に限定されない。
【０１３４】
108．第1のネットワークデバイスは、第2のネットワークデバイスによって報告されたターゲットチャネル状態情報を受信する。
【０１３５】
この実施形態では、チャネル状態情報タイプが第1のタイプであり、第1のタイプが開ループ伝送方式に対応するとき、トリガ信号がシングルトリガ信号である場合、第1のネットワークデバイスは、第2のネットワークデバイスによって報告されたターゲットチャネルの品質およびターゲットチャネルのランクを1回受信する；または、トリガ信号がマルチトリガ信号である場合、第1のネットワークデバイスは、第2のネットワークデバイスによって報告されたターゲットチャネルの品質およびターゲットチャネルのランクを複数回受信する。
【０１３６】
チャネル状態情報タイプが第1のタイプであり、第1のタイプが半開ループ伝送方式に対応するとき、トリガ信号がシングルトリガ信号である場合、第1のネットワークデバイスは、第2のネットワークデバイスによって報告されたターゲットチャネルの品質、ターゲットチャネルのランク、およびターゲットチャネルのいくつかのプリコーディング行列インデックスを1回受信する；または、トリガ信号がマルチトリガ信号である場合、第1のネットワークデバイスは、第2のネットワークデバイスによって報告されたターゲットチャネルの品質、ターゲットチャネルのランク、およびターゲットチャネルのいくつかのプリコーディング行列インデックスを複数回受信する。
【０１３７】
チャネル状態情報タイプが第1のタイプであり、第1のタイプが閉ループ伝送方式に対応するとき、トリガ信号がシングルトリガ信号である場合、第1のネットワークデバイスは、第2のネットワークデバイスによって報告されたターゲットチャネルの品質、ターゲットチャネルのランク、およびターゲットチャネルのすべてのプリコーディング行列インデックスを1回受信する；または、トリガ信号がマルチトリガ信号である場合、第1のネットワークデバイスは、第2のネットワークデバイスによって報告されたターゲットチャネルの品質、ターゲットチャネルのランク、およびターゲットチャネルのすべてのプリコーディング行列インデックスを複数回受信する。
【０１３８】
さらに、この実施形態では、第1のネットワークデバイスは、代替的に、モバイル端末にチャネル状態を報告するようにトリガし制御する基地局などであってもよい。これは、この実施形態では限定されない。同様に、第2のネットワークデバイスは、代替的に、携帯電話、ノートブックコンピュータ、またはタブレットコンピュータなどのネットワーク通信機能を有する端末デバイスであってもよい。この実施形態では、第2の端末デバイスは、閉ループ伝送方式に対応する情報報告をトリガすることができるだけでなく、開ループ伝送方式および半開ループ伝送方式に対応する情報報告をトリガすることができる。さらに、第2の端末デバイスは、異なるチャネル状態情報タイプのチャネル状態情報の報告をトリガしながら、単回報告を実行し、複数回報告を実行する機能をさらに実装することができる。
【０１３９】
2．プリコーディングされていないチャネル状態情報パイロットに基づく測定量およびビーム形成されたチャネル状態情報パイロットに基づく測定量に対応するチャネル状態情報報告方法
図2を参照して、本発明の一実施形態における情報報告方法について説明する。
【０１４０】
201．第1のネットワークデバイスは、制御情報を第2のネットワークデバイスに送信する。
【０１４１】
この実施形態では、このステップは前述のステップ101と同様であり、ここでの詳細な説明は省略する。
【０１４２】
202．第2のネットワークデバイスは、制御情報に基づいて、チャネル状態情報タイプが第3のタイプまたは第4のタイプであると決定する。
【０１４３】
この実施形態では、チャネル状態情報タイプについて、第3のタイプは、プリコーディングされていないチャネル状態情報パイロットに基づく測定量に対応し、第4のタイプは、ビーム形成されたチャネル状態情報パイロットに基づく測定量に対応する。NP CSI-RSは、英語でのnon-precoded channel state information pilot measurement quantityの略であり、BF CSI-RSは、英語でのbeamformed channel state information pilot measurement quantityの略である。制御情報は、チャネル状態情報タイプが第3のタイプまたは第4のタイプであることを示す第2のフィールドを含む。第2のネットワークデバイスは、制御情報の第2のフィールドを読み取ることによって、チャネル状態情報タイプが第3のタイプまたは第4のタイプであることを知る。
【０１４４】
制御情報における第2のフィールドを符号化するために、以下の符号化モードが存在する。ただし、他の符号化モードは本明細書に限定されない。
【０１４５】
（1）制御情報における第2のフィールドの符号化モード1は、以下の符号化テーブルに詳述される。
【０１４６】
【表７】
2019524032.tif 000009
【０１４７】
第2のフィールドのサービングネットワーク要素Cは、データ伝送のために第1のネットワークデバイスによって第2のネットワークデバイスに定期的にスケジューリングされるキャリアである。
【０１４８】
（2）制御情報における第2のフィールドの符号化モード2は、以下の符号化テーブルに詳述される。
【０１４９】
【表８】
2019524032.tif 000010
【０１５０】
第2のフィールドのサービングネットワーク要素Cは、データ伝送のために第1のネットワークデバイスによって第2のネットワークデバイスに定期的にスケジューリングされるキャリアである。サービングネットワーク要素の第1グループおよびサービングネットワーク要素の第2グループは、両方とも第1のネットワークデバイスによって定義され、第1のネットワークデバイスおよび第2のネットワークデバイスの両方によって知られているネットワーク要素である。
【０１５１】
203．第2のネットワークデバイスは、第3のタイプに基づいてターゲットチャネル状態情報を決定する。
【０１５２】
この実施形態では、チャネル状態情報タイプについて、第3のタイプは、プリコーディングされていないチャネル状態情報パイロットに基づく測定量に対応し、プリコーディングされていないチャネル状態情報パイロット測定量を配信するとき、第1のネットワークデバイスは、配信された制御情報において、プリコーディングされていないチャネル状態情報パイロット測定量に対応するチャネル状態情報が第3のタイプであることを第2のネットワークデバイスに通知する。
【０１５３】
第2のネットワークデバイスが、制御情報の第3のフィールドを読み取ることによって、チャネル状態情報タイプが第3のタイプであることを知ると、第2のネットワークデバイスは、ターゲットチャネル状態情報が第1のタイプのターゲットチャネル状態情報であると決定する。
【０１５４】
204．第2のネットワークデバイスは、第4のタイプに基づいて、ターゲットチャネル状態情報を決定する。
【０１５５】
この実施形態では、チャネル状態情報タイプについて、第4のタイプは、ビーム形成されたチャネル状態情報パイロットに基づく測定量に対応し、ビーム形成されたチャネル状態情報パイロット測定量を配信するとき、第1のネットワークデバイスは、配信された制御情報において、ビーム形成されたチャネル状態情報パイロット測定量に対応するチャネル状態情報が第4のタイプであることを第2のネットワークデバイスに通知する。
【０１５６】
第2のネットワークデバイスが、制御情報の第3のフィールドを読み取ることによって、チャネル状態情報タイプが第4のタイプであることを知ると、第2のネットワークデバイスは、ターゲットチャネル状態情報が第2のタイプのターゲットチャネル状態情報であると決定する。
【０１５７】
さらに、第1のネットワークデバイスによるチャネル状態情報パイロット測定量を1つのプロセスで配信する3つの場合がある。すなわち、プリコーディングされていないチャネル状態情報パイロット測定量のみを配信する場合と；ビーム形成されたチャネル状態情報パイロット測定量のみを配信する場合と；プリコーディングされていないチャネル状態情報パイロット測定量とビーム形成されたチャネル状態情報パイロット測定量の両方を配信する場合がある。ターゲットチャネル状態情報は、チャネル状態情報タイプに基づいて決定されるので、第1のネットワークデバイスがプリコーディングされていないチャネル状態情報パイロット測定量とビーム形成されたチャネル状態情報パイロット測定量の両方を配信するとき、対応するチャネル状態情報タイプは、第2のタイプと第4のタイプの両方を含む。この場合、第2のネットワークデバイスによって決定されたターゲットチャネル状態情報は、1つのプロセスにおいて第1のタイプのターゲットチャネル状態情報と第2のタイプのターゲットチャネル状態情報の両方を含む。
【０１５８】
205．第2のネットワークデバイスは、制御情報に基づいて、トリガ信号が第1のトリガ信号または第2のトリガ信号であると決定する。
【０１５９】
この実施形態では、第1のトリガ信号を使用して第2のネットワークデバイスをトリガし、第1のタイプのターゲットチャネル状態情報を第1のネットワークデバイスに1回報告し、第2のトリガ信号を使用して第2のネットワークデバイスをトリガし、第2のタイプのターゲットチャネル状態情報を第1のネットワークデバイスに複数回報告する。
【０１６０】
第2のネットワークデバイスは、制御情報の第3のフィールドを読み取ることによって、トリガ信号が第1のトリガ信号または第2のトリガ信号であると決定する。制御情報には、第4のフィールドの符号化モードとして以下のものがある。ただし、第4のフィールドの他の符号化モードは、本明細書に限定されない。
【０１６１】
（1）制御情報における第4のフィールドの符号化モード1は、以下の符号化テーブルに詳述される。
【０１６２】
【表９】
2019524032.tif 000011
【０１６３】
第4のフィールドのサービングネットワーク要素Cは、データ伝送のために第1のネットワークデバイスによって第2のネットワークデバイスに定期的にスケジューリングされるキャリアである。サービングネットワーク要素の第1のグループは、第1のネットワークデバイスによって定義され、第1のネットワークデバイスと第2のネットワークデバイスの両方によって知られているネットワーク要素である。
【０１６４】
（2）制御情報における第4のフィールドの符号化モード2は、以下の符号化テーブルに詳述される。
【０１６５】
【表１０】
2019524032.tif 000012
【０１６６】
第4のフィールドのサービングネットワーク要素Cは、データ伝送のために第1のネットワークデバイスによって第2のネットワークデバイスに定期的にスケジューリングされるキャリアである。サービングネットワーク要素の第1グループおよびサービングネットワーク要素の第2グループは、両方とも第1のネットワークデバイスによって定義され、第1のネットワークデバイスおよび第2のネットワークデバイスの両方によって知られているネットワーク要素である。
【０１６７】
206．第2のネットワークデバイスは、第1のトリガ信号およびチャネル状態情報タイプに基づいて、ターゲットチャネル状態情報を第1のネットワークデバイスに報告する。
【０１６８】
この実施形態では、トリガ信号が第1のトリガ信号であるとき、1つのチャネル状態情報プロセスのチャネル状態情報タイプが第3のタイプのみを含む場合、第2のネットワークデバイスは、第1のタイプのターゲットチャネル状態情報を第1のネットワークデバイスに1回報告する。さらに、この実施形態における情報報告の概略図が図5に示されている。
【０１６９】
207．第2のネットワークデバイスは、第2のトリガ信号およびチャネル状態情報タイプに基づいて、ターゲットチャネル状態情報を第1のネットワークデバイスに報告する。
【０１７０】
この実施形態では、トリガ信号が第2のトリガ信号であるとき、1つのチャネル状態情報プロセスのチャネル状態情報タイプが第4のタイプのみを含む場合、第2のネットワークデバイスは、第2のタイプのターゲットチャネル状態情報を第1のネットワークデバイスに複数回報告する。
【０１７１】
この実施形態では、1つのチャネル状態情報プロセスのチャネル状態情報タイプが第3のタイプと第4のタイプの両方を含む場合、第2のネットワークデバイスは、第1のタイプのターゲットチャネル状態情報を第1のネットワークデバイスに1回報告し、第2のタイプのターゲットチャネル状態情報を第1のネットワークデバイスに複数回報告する。さらに、この実施形態における情報報告の概略図が図6に示されている。
【０１７２】
208．第1のネットワークデバイスは、第2のネットワークデバイスによって報告されたターゲットチャネル状態情報を受信する。
【０１７３】
この実施形態では、1つのチャネル状態情報プロセスのチャネル状態情報タイプが第3のタイプのみを含む場合、第1のネットワークデバイスは、第2のネットワークデバイスによって送信された第1のタイプのターゲットチャネル状態情報を1回受信する。
【０１７４】
チャネル状態情報タイプが同じチャネル状態情報プロセスにおいて第2のタイプのみを含む場合、第1のネットワークデバイスは、第2のネットワークデバイスによって送信された第2のタイプのターゲットチャネル状態情報を複数回受信する。
【０１７５】
1つのチャネル状態情報プロセスのチャネル状態情報タイプが第3のタイプと第4のタイプの両方を含む場合、第1のネットワークデバイスは、第2のネットワークデバイスによって送信された第1のタイプのターゲットチャネル状態情報を1回受信し、第2のネットワークデバイスによって送信された第2のタイプのターゲットチャネル状態情報を複数回受信する。
【０１７６】
この実施形態では、第2のネットワークデバイスは、第3のタイプおよび第4のタイプに基づいて、第1のタイプのターゲットチャネル状態情報および第2のタイプのターゲットチャネル状態情報の両方を報告する。したがって、1つのチャネル状態情報プロセスのチャネル状態情報タイプが第3のタイプと第4のタイプの両方を含む場合、第2のネットワークデバイスをトリガして、ターゲットチャネル状態情報を第1のネットワークデバイスに報告することができ、第2のタイプのターゲットチャネル状態情報を複数回報告する機能をさらに実装することができる。
【０１７７】
以上の実施形態では、本発明の情報報告方法について説明した。以下では、第2のネットワークデバイスおよび第1のネットワークデバイスに対応する機能が制限された装置について説明する。
【０１７８】
1．第2のネットワークデバイス
図7を参照して、本発明の実施形態における第2のネットワークデバイスについて説明する。
【０１７９】
第2のネットワークデバイスは、
第1のネットワークデバイスによって送信された制御情報を受信するように構成された受信ユニット701であって、制御情報はトリガ信号およびチャネル状態情報タイプを含み、トリガ信号は第2のネットワークデバイスをトリガしてターゲットチャネル状態情報を第1のネットワークデバイスに報告するために使用される、受信ユニット701と、
チャネル状態情報タイプに基づいてターゲットチャネル状態情報を決定するように構成された第1の決定ユニット702と、
トリガ信号およびチャネル状態情報タイプに基づいて、ターゲットチャネル状態情報を第1のネットワークデバイスに報告するように構成された報告ユニット703と
を含む。
【０１８０】
この実施形態では、報告ユニット703は、受信ユニット701により受信された制御情報に基づいて取得されたトリガ信号およびチャネル状態情報タイプに基づいて、制御情報内のチャネル状態情報タイプに基づいて第1の決定ユニット702により決定されたターゲットチャネル状態情報を報告する。したがって、本発明は、新しい情報報告方法を提供する。
【０１８１】
図8を参照して、本発明の実施形態における第2のネットワークデバイスについて説明する。第2のネットワークデバイスは、
第1のネットワークデバイスによって送信された制御情報を受信するように構成された受信ユニット801であって、制御情報はトリガ信号およびチャネル状態情報タイプを含み、トリガ信号は、第2のネットワークデバイスをトリガしてターゲットチャネル状態情報を第1のネットワークデバイスに報告するために使用される、受信ユニット801と、
制御情報の第1のフィールドを使用して、チャネル状態情報タイプが第1のタイプまたは第2のタイプであることを決定するように構成された第2の決定ユニット802であって、第1のフィールドは第1の指示情報を搬送し、第1の指示情報はチャネル状態情報タイプが第1のタイプまたは第2のタイプであることを示すために使用される、第2の決定ユニット802と、
チャネル状態情報タイプに基づいてターゲットチャネル状態情報を決定するように構成された第1の決定ユニット803と、
制御情報の第3のフィールドを使用して、トリガ信号がシングルトリガ信号またはマルチトリガ信号であることを決定するように構成された第4の決定ユニット804であって、第3のフィールドは第3の指示情報および第4の指示情報を搬送し、第3の指示情報は、トリガ信号がシングルトリガ信号またはマルチトリガ信号であることを示すために使用され、第4の指示情報はチャネル状態情報タイプを示すために使用される、第4の決定ユニット804と、
トリガ信号およびチャネル状態情報タイプに基づいて、ターゲットチャネル状態情報を第1のネットワークデバイスに報告するように構成された報告ユニット805と
を含む。
【０１８２】
第1の決定ユニット803は、
チャネル状態情報タイプが第1のタイプである場合、ターゲットチャネル状態情報がターゲットチャネルの品質、ターゲットチャネルのランク、および第1のチャネルプリコーディング行列インデックスであると決定するように構成された、第1の決定モジュール8031と、
チャネル状態情報タイプが第2のタイプである場合、ターゲットチャネル状態情報がターゲットチャネルの品質、ターゲットチャネルのランク、および／または第2のチャネルプリコーディング行列インデックスであると決定するように構成された、第2の決定モジュール8032と
を含む。
【０１８３】
この実施形態では、第1のタイプは開ループ伝送方式および半開ループ伝送方式に対応し、第2のタイプは閉ループ伝送方式に対応する。したがって、報告ユニット805は、閉ループ伝送方式に対応するターゲットチャネル状態情報と、開ループ伝送方式および半開ループ伝送方式に対応するターゲットチャネル状態情報の両方を報告するようにトリガされ得、それにより、開ループ伝送方式および半開ループ伝送方式に対応するターゲットチャネル状態情報を報告する方法を提供する。
【０１８４】
図9を参照して、本発明の実施形態における第2のネットワークデバイスについて説明する。第2のネットワークデバイスは、
第1のネットワークデバイスによって送信された制御情報を受信するように構成された受信ユニット901であって、制御情報はトリガ信号およびチャネル状態情報タイプを含み、トリガ信号は、第2のネットワークデバイスをトリガしてターゲットチャネル状態情報を第1のネットワークデバイスに報告するために使用される、受信ユニット901と、
制御情報の第2のフィールドを使用して、チャネル状態情報タイプが第3のタイプまたは第4のタイプであることを決定するように構成された第3の決定ユニット902であって、第2のフィールドは第2の指示情報を搬送し、第2の指示情報はチャネル状態情報タイプが第3のタイプまたは第4のタイプであることを示すために使用される、第3の決定ユニット902と、
チャネル状態情報タイプに基づいてターゲットチャネル状態情報を決定するように構成された第1の決定ユニット903と、
制御情報の第4のフィールドを使用して、トリガ信号が第1のトリガ信号または第2のトリガ信号であることを決定するように構成された第5の決定ユニット904であって、第4のフィールドは第5の指示情報および第6の指示情報を搬送し、第5の指示情報は、トリガ信号が第1のトリガ信号または第2のトリガ信号であることを示すために使用され、第6の指示情報はチャネル状態情報タイプが第1のタイプのターゲットチャネル状態情報または第2のタイプのターゲットチャネル状態情報であることを示すために使用される、第5の決定ユニット904と、
トリガ信号およびチャネル状態情報タイプに基づいて、ターゲットチャネル状態情報を第1のネットワークデバイスに報告するように構成された報告ユニット905と
を含む。
【０１８５】
報告ユニット905は、
チャネル状態情報タイプが第3のタイプである場合、トリガ信号に基づいて第1のタイプのターゲットチャネル状態情報を報告するように構成された第1の報告モジュール9051であって、第1のタイプのターゲットチャネル状態情報は、プリコーディングされていないチャネル状態情報基準信号に基づく測定量に対応するチャネル状態情報である、第1の報告モジュール9051と、
チャネル状態情報タイプが第4のタイプである場合、トリガ信号に基づいて第2のタイプのターゲットチャネル状態情報を報告するように構成された第2の報告モジュール9052であって、第2のタイプのターゲットチャネル状態情報は、ビーム形成されたチャネル状態情報基準信号に基づく測定量に対応するチャネル状態情報である、第2の報告モジュール9052と
を含む。
【０１８６】
この実施形態では、第3のタイプは、プリコーディングされていないチャネル状態情報パイロットに基づく測定量に対応するチャネル状態情報タイプであり、第4のタイプは、ビーム形成されたチャネル状態情報パイロットに基づく測定量に対応するチャネル状態情報タイプである。報告ユニット905内の第1の報告モジュール9051および第2の報告モジュール9052は、それぞれ、第3のタイプに対応する第1のタイプのターゲットチャネル状態情報および第4のタイプに対応する第2のタイプのターゲットチャネル状態情報を報告する。したがって、第3のタイプのチャネル状態情報および第4のタイプのチャネル状態情報の両方が1つのプロセスで報告される場合、本発明はまた、ターゲットチャネル状態情報の報告を完了することもできる。
【０１８７】
2．第1のネットワークデバイス
図10を参照して、本発明の実施形態における第2のネットワークデバイスについて説明する。第2のネットワークデバイスは、
制御情報を第2のネットワークデバイスに送信するように構成された送信ユニット1001であって、制御情報はトリガ信号およびチャネル状態情報タイプを含み、トリガ信号は第2のネットワークデバイスをトリガしてターゲットチャネル状態情報を第1のネットワークデバイスに報告するために使用される、送信ユニット1001と、
第2のネットワークデバイスによって送信されたターゲットチャネル状態情報を受信するように構成された受信ユニット1002と
を含む。
【０１８８】
この実施形態では、制御情報は、トリガ信号およびチャネル状態情報タイプを示すフィールドを含み、受信ユニット1002は、トリガ信号に基づいて第2のネットワークデバイスをトリガすることによって、チャネル状態情報タイプに対応しかつ第2のネットワークデバイスによって報告されるターゲットチャネル状態情報を受信することができる。したがって、この実施形態は、新しいターゲットチャネル状態情報報告方法を提供する。
【０１８９】
以上、第1のネットワークデバイスと第2のネットワークデバイスの機能について説明した。以下、本実施形態における第1のネットワークデバイスおよび第2のネットワークデバイスにそれぞれ対応する物理装置について説明する。
【０１９０】
図11を参照して、本発明の実施形態における第2のネットワークデバイスについて説明する。
【０１９１】
図11に示すように、プロセッサ1115は、オーディオまたはビデオに使用される回路および端末デバイスの論理機能を含んでもよい。例えば、プロセッサ1115は、デジタル信号プロセッサデバイス、マイクロプロセッサデバイス、アナログデジタル変換部、デジタルアナログ変換部などを含んでもよい。モバイルデバイスの制御および信号処理機能は、これらのデバイスのそれぞれの能力に基づいて、これらのデバイス間で割り当てられてもよい。プロセッサ1115は、内部音声コーダVC1116、内部データモデムDM1117などをさらに含んでもよい。さらに、プロセッサ1115は、1つまたは複数のソフトウェアプログラムを動作させる機能を含んでもよく、ソフトウェアプログラムはメモリに格納されてもよい。通常、プロセッサ1115および格納されたソフトウェア命令は、端末デバイスがアクションを実行することを可能にするように構成され得る。例えば、プロセッサ1115は、接続プログラムを動作させることができる。
【０１９２】
端末デバイスは、ユーザインタフェースをさらに含んでもよい。ユーザインタフェースは、例えば、プロセッサ1115に動作可能に結合されたイヤホンまたはスピーカ1112、マイクロフォン1111、出力装置1114（ディスプレイなど）、および入力装置1111を含んでもよい。これに関して、プロセッサ1115は、ユーザインタフェース回路を含んでもよい。ユーザインタフェース回路は、ユーザインタフェース内の1つまたは複数の要素（スピーカ1112、マイクロフォン1111、およびディスプレイなど）の少なくともいくつかの機能を制御するように構成される。プロセッサ1115および／またはプロセッサ1115を含むユーザインタフェース回路は、プロセッサによってアクセス可能なメモリに格納された（ソフトウェアおよび／またはファームウェアなどの）コンピュータプログラム命令を使用することによって、ユーザインタフェース内の1つまたは複数の要素の1つまたは複数の機能を制御するように構成されてもよい。図示されていないが、端末デバイスは、モバイルデバイスに関連する様々な回路に電力を供給するように構成されたバッテリを含んでもよい。例えば、回路は検出可能な出力として機械的振動を提供する回路である。入力装置1111は、キーパッド、タッチディスプレイ、ジョイスティック、および／または少なくとも1つの他の入力デバイスなど、装置がデータを受信することを可能にするデバイスを含んでもよい。
【０１９３】
端末デバイスは、データを共有および／または取得するように構成された1つまたは複数の接続回路モジュールをさらに含んでもよい。例えば、端末デバイスは、電子デバイスとデータを共有し、かつ／またはRF技術に基づいて電子デバイスからデータを取得するために、短距離無線周波数RFトランシーバ1105および／または検出器を含んでもよい。端末デバイスは、赤外線IRトランシーバ1106、使用トランシーバ、およびワイヤレスユニバーサルシリアルバス（USB）トランシーバ1108のような他の短距離トランシーバを含んでもよい。Bluetooth（登録商標）トランシーバ1107は、低消費電力Bluetooth技術または超低消費電力Bluetooth技術に基づく動作を実行することができる。これに関して、端末デバイス、具体的には短距離トランシーバは、装置の近く（例えば、10メートル以内）の電子デバイスへデータを送信する、および／または電子デバイスからデータを受信することができる。図示されていないが、端末デバイスは、様々な無線インターネット技術に基づいて、電子デバイスへデータを送信する、および／または電子デバイスからデータを受信することができる。これらの技術には、Wi-Fi、Wi-Fi低消費電力、およびIEEE 802.11技術、IEEE 802.15技術、またはIEEE 802.16技術などのWLAN技術が含まれる。
【０１９４】
端末デバイスは、加入者識別モジュールSIM1102のようなモバイルユーザに関連する情報要素を格納することができるメモリを含んでもよい。SIM1102に加えて、装置は、別の取り外し可能なおよび／または永続的なメモリをさらに含んでもよい。端末デバイスは、揮発性メモリ1109および／または不揮発性メモリ1110を含んでもよい。例えば、揮発性メモリ1109は、ダイナミックRAMおよび／またはスタティックRAM、オンチップおよび／またはオフチップキャッシュなどを含むランダムアクセスメモリRAMを含んでもよい。不揮発性メモリ1110は、内蔵メモリおよび／またはリムーバブルメモリであってもよく、読み出し専用メモリ、フラッシュメモリ、磁気記憶デバイス（ハードディスク、フロッピードライブ、テープなどの）、光ディスクドライブおよび／または媒体、不揮発性ランダムアクセスメモリNVRAMなどを含んでもよい。揮発性メモリ1109と同様に、不揮発性メモリ1110は、データを一時的に格納するためのキャッシュ領域を含んでもよい。揮発性メモリおよび／または不揮発性メモリの少なくとも一部は、プロセッサに埋め込まれてもよい。メモリは、端末デバイスがモバイル端末の機能を実行するために使用することができる1つまたは複数のソフトウェアプログラム、命令、情報ブロック、データなどを格納することができる。例えば、メモリは、国際移動体装置識別IMEIコードのような、端末デバイスを一意的に識別することができる識別子を含んでもよい。
【０１９５】
図12を参照して、本発明の実施形態における第1のネットワークデバイスについて説明する。
【０１９６】
図12に示すように、第1のネットワークデバイスは、アンテナ1212、サイクリックプレフィックス（CP）除去部1201、シリアルパラレル（S/P）変換部1202、高速フーリエ変換（FFT）プロセッサ1203、デマッパ1204、逆高速フーリエ変換（IFFT）プロセッサ1205、パラレルシリアル（P/S）変換部1206、デマルチプレクサ（DEMUX）1207、制御部1208、制御チャネル信号受信部1209、チャネル推定部1210、およびデータ復調復号部1211を含む。
【０１９７】
制御部1208は、全体の制御を行うとともに、デマルチプレクサ（DEMUX）1207、高速フーリエ変換（FFT）プロセッサ1203、デマッパ1204、制御チャネル信号受信部1209、チャネル推定部1210、およびデータ復調復号部1211が必要とする制御信号を生成する。制御チャネル信号受信部1209およびデータ復調復号部1211には、UL制御情報およびデータに関する制御信号が提供される。チャネル推定部1210には、シーケンスインデックスおよび時間領域巡回シフト値を示す制御チャネル信号が提供される。シーケンスインデックスおよび時間領域巡回シフト値は、UEに割り当てられたパイロットシーケンスを生成するために使用される。
【０１９８】
デマルチプレクサ（DEMUX）1207は、制御部1208から受信したタイミング情報に基づいて、シリアルパラレル（S/P）変換部1202から受信した信号を制御チャネル信号、データ信号、およびパイロット信号に分離する。デマッパ1204は、制御部1208から受信したタイミング情報および周波数割当情報に基づいて周波数リソースからこれらの信号を抽出する。
【０１９９】
サイクリックプレフィックス（CP）除去部1201は、アンテナ1212を用いてUEから制御情報を含む信号を受信すると、受信信号からCPを除去する。シリアルパラレル（S/P）変換部1202は、CP無しの信号をパラレル信号に変換し、高速フーリエ変換（FFT）プロセッサ1203は、FFT処理によりパラレル信号を処理する。FFT信号がデマッパ1204によってデマッピングされた後、FFT信号は逆高速フーリエ変換（IFFT）プロセッサ1205によって時間信号に変換される。逆高速フーリエ変換（IFFT）プロセッサ1205の入出力サイズは、制御部1208から受信した制御信号に基づいて変化する。シリアルパラレル（S/P）変換部1202はIFFT信号を直列化し、デマルチプレクサ（DEMUX）1207はシリアル信号を制御チャネル信号、パイロット信号、およびデータ信号に分離する。
【０２００】
チャネル推定部1210は、デマルチプレクサ（DEMUX）1207によって受信されたパイロット信号からチャネル推定値を取得する。制御チャネル信号受信部1209は、チャネル推定値を用いて、デマルチプレクサ（DEMUX）1207から受信した制御チャネル信号のチャネル補償を行い、UEが送信した制御情報を取得する。データ復調復号部1211は、チャネル推定値を用いて、デマルチプレクサ（DEMUX）1207から受信したデータ信号のチャネル補償を行い、制御情報に基づいてUEが送信したデータを取得する。
【０２０１】
前述のシステム、装置、およびユニットの詳細な作動プロセスのための、簡便な説明の目的で、上述の方法の実施形態において対応するプロセスが参照され得ることは、当業者であれば明確に理解することができ、詳細は本明細書では再度説明しない。
【０２０２】
本出願で提供されるいくつかの実施形態では、開示されたシステム、装置、および方法は、他の態様で実現されてもよいことが理解されるべきである。例えば、説明した装置の実施形態は単なる例である。例えば、ユニットの部分は単に論理機能の部分であり、実際の実装においては他の部分であってもよい。例えば、複数のユニットまたはコンポーネントが組み合わされてもよく、または別のシステムに統合されてもよく、あるいは、一部の機能が無視されて、実行されなくてもよい。また、表示されたまたは議論された相互結合または直接的な結合もしくは通信接続は、いくつかのインタフェースを使用することによって実現されてもよい。装置またはユニット間の間接的な結合または通信接続は、電子的に、機械的に、または他の形式で実現されてもよい。
【０２０３】
別々の部分として記載されたユニットは、物理的に分離されていてもいなくてもよく、ユニットとして表示された部分は、物理的なユニットであってもなくてもよく、1つの位置に配置されていてもよく、または複数のネットワークユニットに分散されていてもよい。ユニットの一部またはすべては、本実施形態の解決策の目的を達成するために実際のニーズに基づいて選択されてもよい。
【０２０４】
また、本発明の実施形態における機能ユニットは、1つの処理ユニットに組み込まれてもよく、または各ユニットは、単独で、物理的に存在してもよく、または2つ以上のユニットが1つのユニットに統合される。統合ユニットは、ハードウェアの形態で実装されてもよく、またはソフトウェア機能ユニットの形態で実装されてもよい。
【０２０５】
統合ユニットが、ソフトウェア機能ユニットの形態で実装され、独立した製品として販売または使用される場合、統合ユニットは、コンピュータ読み取り可能な記憶媒体に格納されてもよい。このような理解に基づいて、基本的に本発明の技術的解決策、または従来技術に寄与する部分、または技術的解決策のすべてもしくは一部は、ソフトウェア製品の形態で実現されてもよい。ソフトウェア製品は、記憶媒体に格納され、本発明の実施形態に記載の方法のステップのすべてまたは一部を実行するために、コンピュータデバイス（パーソナルコンピュータ、サーバ、またはネットワークデバイスであってもよい）を指示するためのいくつかの命令を含む。前述の記憶媒体は、例えば、USBフラッシュドライブ、リムーバブルハードディスク、読み取り専用メモリ（ROM、Read-Only Memory）、ランダムアクセスメモリ（RAM、Random Access Memory）、磁気ディスク、または光ディスクなどの、プログラムコードを格納することができる任意の媒体を含む。
【０２０６】
前述の実施形態は、本発明を制限するものではなく、本発明の技術的解決策を説明するためのものに過ぎない。前述の実施形態に関連して本発明を詳細に説明したが、当業者は、本発明の実施形態の技術的解決策の趣旨および範囲から逸脱することなく、前述の実施形態で説明した技術的解決策に更なる変更を加えるか、一部のその技術的特徴に同等の置換を行うことができることを理解すべきである。
【符号の説明】
【０２０７】
701  受信ユニット
702  決定ユニット
703  報告ユニット
801  受信ユニット
802  第2の決定ユニット
803  第1の決定ユニット
804  第4の決定ユニット
805  報告ユニット
901  受信ユニット
902  第3の決定ユニット
903  第1の決定ユニット
904  第5の決定ユニット
905  報告ユニット
1001  送信ユニット
1002  受信ユニット
1105  短距離無線周波数RFトランシーバ
1106  赤外線IRトランシーバ
1107  Bluetoothトランシーバ
1108  ワイヤレスユニバーサルシリアルバス（USB）トランシーバ
1109  揮発性メモリ
1110  不揮発性メモリ
1111  マイクロフォン，入力装置
1112  スピーカ
1114  出力装置
1115  プロセッサ
1201  サイクリックプレフィックス（CP）除去部
1202  シリアルパラレル（S/P）変換部
1203  高速フーリエ変換（FFT）プロセッサ
1204  デマッパ
1205  逆高速フーリエ変換（IFFT）プロセッサ
1206  パラレルシリアル（P/S）変換部
1207  デマルチプレクサ（DEMUX）
1208  制御部
1209  制御チャネル信号受信部
1210  チャネル推定部
1211  データ復調復号部
1212  アンテナ
8031  第1の決定モジュール
8032  第2の決定モジュール
9051  第1の報告モジュール
9052  第2の報告モジュール
【図１】
2019524032.tif 000013
【図２】
2019524032.tif 000014
【図３】
2019524032.tif 000015
【図４】
2019524032.tif 000016
【図５】
2019524032.tif 000017
【図６】
2019524032.tif 000018
【図７】
2019524032.tif 000019
【図８】
2019524032.tif 000020
【図９】
2019524032.tif 000021
【図１０】
2019524032.tif 000022
【図１１】
2019524032.tif 000023
【図１２】
2019524032.tif 000024
【手続補正書】
【提出日】平成30年12月17日(2018.12.17)
【手続補正１】
【補正対象書類名】明細書
【補正対象項目名】０００６
【補正方法】変更
【補正の内容】
【０００６】
本発明の実施形態の第1の態様は、情報報告方法を提供し、この方法は、
第1のネットワークデバイスにより、制御情報の一部を第2のネットワークデバイスに送信して、第2のネットワークデバイスのチャネル状態情報を取得するステップと、第2のネットワークデバイスが制御情報を受信した後、第2のネットワークデバイスにより、制御情報から第1のネットワークデバイスが示すトリガ信号タイプおよびチャネル状態情報タイプを取得するステップと、を含み、これにより、第2のネットワークデバイスは、制御情報に示されるトリガ方法に基づいて、チャネル状態情報タイプに対応するターゲットチャネル状態情報を第1のネットワークデバイスに報告する。
【手続補正２】
【補正対象書類名】明細書
【補正対象項目名】００３３
【補正方法】変更
【補正の内容】
【００３３】
本発明の実施形態の第1の態様を参照すると、本発明の実施形態の第1の態様の第11の可能な実装形態では、制御情報は制御チャネルで搬送される。
【手続補正３】
【補正対象書類名】明細書
【補正対象項目名】００４１
【補正方法】変更
【補正の内容】
【００４１】
この実装形態では、トリガ命令は、1回トリガを実行すること、または複数回にわたってトリガを実行することを含む。これにより、ターゲットチャネル状態情報を報告するために第2のネットワークデバイスがトリガされる報告方法が強化される。
【手続補正４】
【補正対象書類名】明細書
【補正対象項目名】００４２
【補正方法】変更
【補正の内容】
【００４２】
本発明の実施形態の第2の態様を参照すると、本発明の実施形態の第2の態様の第4の可能な実装形態では、トリガ信号は第1のトリガ信号または第2のトリガ信号であり、第1のトリガ信号は、第2のネットワークデバイスをトリガして第1のタイプのターゲットチャネル状態情報を第1のネットワークデバイスに1回報告するために使用され、第2のトリガ信号は、第2のネットワークデバイスをトリガして第2のタイプのターゲットチャネル状態情報を第1のネットワークデバイスに少なくとも2回報告するために使用される。
【手続補正５】
【補正対象書類名】明細書
【補正対象項目名】００５１
【補正方法】変更
【補正の内容】
【００５１】
この実装形態では、第1のタイプおよび第2のタイプは、異なるターゲットチャネル状態情報に対応する。この場合、第1の決定ユニットは、第1のネットワークデバイスが知る必要があるターゲットチャネル状態情報をより明確に知ることができ、これにより、第1のネットワークデバイスと第2のネットワークデバイスとの間の通信がより明確かつより具体的になり、不正なデータ伝送が減少する。
【手続補正６】
【補正対象書類名】明細書
【補正対象項目名】００６３
【補正方法】変更
【補正の内容】
【００６３】
本発明の実施形態の第3の態様の第4の可能な実装形態から本発明の実施形態の第3の態様の第6の可能な実装形態のいずれか1つを参照すると、本発明の実施形態の第3の態様の第9の可能な実装形態では、トリガ信号は第1のトリガ信号または第2のトリガ信号であり、第1のトリガ信号は、第2のネットワークデバイスをトリガして第1のタイプのターゲットチャネル状態情報を第1のネットワークデバイスに1回報告するために使用され、第2のトリガ信号は、第2のネットワークデバイスをトリガして第2のタイプのターゲットチャネル状態情報を第1のネットワークデバイスに少なくとも2回報告するために使用される。
【手続補正７】
【補正対象書類名】明細書
【補正対象項目名】００７５
【補正方法】変更
【補正の内容】
【００７５】
この実装形態では、トリガ命令は、1回トリガを実行すること、または複数回にわたってトリガを実行することを含む。これにより、ターゲットチャネル状態情報を報告するために第2のネットワークデバイスがトリガされる報告方法が強化される。
【手続補正８】
【補正対象書類名】明細書
【補正対象項目名】００９５
【補正方法】変更
【補正の内容】
【００９５】
この実施形態では、第1のネットワークデバイスは、第2のネットワークデバイスが占有するチャネルのチャネル状態を取得する必要がある場合、第1のネットワークデバイスは、第2のネットワークデバイスに制御情報を送信する。制御情報は、ターゲットチャネル状態情報を第1のネットワークデバイスに送信するように第2のネットワークデバイスに指示するために使用され、制御情報は、制御チャネルPDCCHで搬送される。
【手続補正９】
【補正対象書類名】明細書
【補正対象項目名】０１０８
【補正方法】変更
【補正の内容】
【０１０８】
（4）制御情報における第1のフィールドの符号化モード4は、以下の符号化テーブルに詳述される。
【手続補正１０】
【補正対象書類名】明細書
【補正対象項目名】０１２８
【補正方法】変更
【補正の内容】
【０１２８】
トリガ信号がシングルトリガ信号であるとき、チャネル状態情報タイプが第2のタイプであり、第2のタイプが閉ループ伝送方式に対応する場合、第2のネットワークデバイスは、ターゲットチャネルの品質、ターゲットチャネルのランク、およびターゲットチャネルのすべてのプリコーディング行列インデックスを第1のネットワークデバイスに1回送信する。さらに、単回の情報報告の簡単な概略図が図3に示されている。
【手続補正１１】
【補正対象書類名】明細書
【補正対象項目名】０１３０
【補正方法】変更
【補正の内容】
【０１３０】
この実施形態では、トリガ信号がマルチトリガ信号であるとき、チャネル状態情報タイプが第1のタイプであり、第1のタイプが開ループ伝送方式に対応する場合、第2のネットワークデバイスは、ターゲットチャネルの品質とターゲットチャネルのランクを第1のネットワークデバイスに複数回送信する。
【手続補正１２】
【補正対象書類名】明細書
【補正対象項目名】０１３１
【補正方法】変更
【補正の内容】
【０１３１】
トリガ信号がマルチトリガ信号であるとき、チャネル状態情報タイプが第1のタイプであり、第1のタイプが半開ループ伝送方式に対応する場合、第2のネットワークデバイスは、ターゲットチャネルの品質、ターゲットチャネルのランク、およびターゲットチャネルのいくつかのプリコーディング行列インデックスを第1のネットワークデバイスに複数回送信する。
【手続補正１３】
【補正対象書類名】明細書
【補正対象項目名】０１３７
【補正方法】変更
【補正の内容】
【０１３７】
チャネル状態情報タイプが第2のタイプであり、第2のタイプが閉ループ伝送方式に対応するとき、トリガ信号がシングルトリガ信号である場合、第1のネットワークデバイスは、第2のネットワークデバイスによって報告されたターゲットチャネルの品質、ターゲットチャネルのランク、およびターゲットチャネルのすべてのプリコーディング行列インデックスを1回受信する；または、トリガ信号がマルチトリガ信号である場合、第1のネットワークデバイスは、第2のネットワークデバイスによって報告されたターゲットチャネルの品質、ターゲットチャネルのランク、およびターゲットチャネルのすべてのプリコーディング行列インデックスを複数回受信する。
【手続補正１４】
【補正対象書類名】明細書
【補正対象項目名】０１３８
【補正方法】変更
【補正の内容】
【０１３８】
さらに、この実施形態では、第1のネットワークデバイスは、代替的に、モバイル端末にチャネル状態を報告するようにトリガし制御する基地局などであってもよい。これは、この実施形態では限定されない。同様に、第2のネットワークデバイスは、代替的に、携帯電話、ノートブックコンピュータ、またはタブレットコンピュータなどのネットワーク通信機能を有する端末デバイスであってもよい。この実施形態では、第2のネットワークデバイスは、閉ループ伝送方式に対応する情報報告をトリガすることができるだけでなく、開ループ伝送方式および半開ループ伝送方式に対応する情報報告をトリガすることができる。さらに、第2のネットワークデバイスは、異なるチャネル状態情報タイプのチャネル状態情報の報告をトリガしながら、単回報告を実行し、複数回報告を実行する機能をさらに実装することができる。
【手続補正１５】
【補正対象書類名】明細書
【補正対象項目名】０１５３
【補正方法】変更
【補正の内容】
【０１５３】
第2のネットワークデバイスが、制御情報の第2のフィールドを読み取ることによって、チャネル状態情報タイプが第3のタイプであることを知ると、第2のネットワークデバイスは、ターゲットチャネル状態情報が第1のタイプのターゲットチャネル状態情報であると決定する。
【手続補正１６】
【補正対象書類名】明細書
【補正対象項目名】０１５６
【補正方法】変更
【補正の内容】
【０１５６】
第2のネットワークデバイスが、制御情報の第2のフィールドを読み取ることによって、チャネル状態情報タイプが第4のタイプであることを知ると、第2のネットワークデバイスは、ターゲットチャネル状態情報が第2のタイプのターゲットチャネル状態情報であると決定する。
【手続補正１７】
【補正対象書類名】明細書
【補正対象項目名】０１５７
【補正方法】変更
【補正の内容】
【０１５７】
さらに、第1のネットワークデバイスによるチャネル状態情報パイロット測定量を1つのプロセスで配信する3つの場合がある。すなわち、プリコーディングされていないチャネル状態情報パイロット測定量のみを配信する場合と；ビーム形成されたチャネル状態情報パイロット測定量のみを配信する場合と；プリコーディングされていないチャネル状態情報パイロット測定量とビーム形成されたチャネル状態情報パイロット測定量の両方を配信する場合がある。ターゲットチャネル状態情報は、チャネル状態情報タイプに基づいて決定されるので、第1のネットワークデバイスがプリコーディングされていないチャネル状態情報パイロット測定量とビーム形成されたチャネル状態情報パイロット測定量の両方を配信するとき、対応するチャネル状態情報タイプは、第3のタイプと第4のタイプの両方を含む。この場合、第2のネットワークデバイスによって決定されたターゲットチャネル状態情報は、1つのプロセスにおいて第1のタイプのターゲットチャネル状態情報と第2のタイプのターゲットチャネル状態情報の両方を含む。
【手続補正１８】
【補正対象書類名】明細書
【補正対象項目名】０１６０
【補正方法】変更
【補正の内容】
【０１６０】
第2のネットワークデバイスは、制御情報の第4のフィールドを読み取ることによって、トリガ信号が第1のトリガ信号または第2のトリガ信号であると決定する。制御情報には、第4のフィールドの符号化モードとして以下のものがある。ただし、第4のフィールドの他の符号化モードは、本明細書に限定されない。
【手続補正１９】
【補正対象書類名】明細書
【補正対象項目名】０１７４
【補正方法】変更
【補正の内容】
【０１７４】
チャネル状態情報タイプが同じチャネル状態情報プロセスにおいて第4のタイプのみを含む場合、第1のネットワークデバイスは、第2のネットワークデバイスによって送信された第2のタイプのターゲットチャネル状態情報を複数回受信する。
【手続補正２０】
【補正対象書類名】明細書
【補正対象項目名】０１８７
【補正方法】変更
【補正の内容】
【０１８７】
2．第1のネットワークデバイス
図10を参照して、本発明の実施形態における第1のネットワークデバイスについて説明する。第1のネットワークデバイスは、
制御情報を第2のネットワークデバイスに送信するように構成された送信ユニット1001であって、制御情報はトリガ信号およびチャネル状態情報タイプを含み、トリガ信号は第2のネットワークデバイスをトリガしてターゲットチャネル状態情報を第1のネットワークデバイスに報告するために使用される、送信ユニット1001と、
第2のネットワークデバイスによって送信されたターゲットチャネル状態情報を受信するように構成された受信ユニット1002と
を含む。
【手続補正２１】
【補正対象書類名】明細書
【補正対象項目名】０１９２
【補正方法】変更
【補正の内容】
【０１９２】
端末デバイスは、ユーザインタフェースをさらに含んでもよい。ユーザインタフェースは、例えば、プロセッサ1115に動作可能に結合されたイヤホンまたはスピーカ1112、マイクロフォン1111、出力装置1114（ディスプレイなど）、および入力装置1113を含んでもよい。これに関して、プロセッサ1115は、ユーザインタフェース回路を含んでもよい。ユーザインタフェース回路は、ユーザインタフェース内の1つまたは複数の要素（スピーカ1112、マイクロフォン1111、およびディスプレイなど）の少なくともいくつかの機能を制御するように構成される。プロセッサ1115および／またはプロセッサ1115を含むユーザインタフェース回路は、プロセッサによってアクセス可能なメモリに格納された（ソフトウェアおよび／またはファームウェアなどの）コンピュータプログラム命令を使用することによって、ユーザインタフェース内の1つまたは複数の要素の1つまたは複数の機能を制御するように構成されてもよい。図示されていないが、端末デバイスは、モバイルデバイスに関連する様々な回路に電力を供給するように構成されたバッテリを含んでもよい。例えば、回路は検出可能な出力として機械的振動を提供する回路である。入力装置1113は、キーパッド、タッチディスプレイ、ジョイスティック、および／または少なくとも1つの他の入力デバイスなど、装置がデータを受信することを可能にするデバイスを含んでもよい。
【手続補正２２】
【補正対象書類名】特許請求の範囲
【補正対象項目名】全文
【補正方法】変更
【補正の内容】
【特許請求の範囲】
【請求項１】
第2のネットワークデバイスにより、第1のネットワークデバイスによって送信された制御情報を受信するステップであって、前記制御情報はトリガ信号およびチャネル状態情報タイプを含み、前記トリガ信号は、前記第2のネットワークデバイスをトリガしてターゲットチャネル状態情報を前記第1のネットワークデバイスに報告するために使用される、ステップと、
前記第2のネットワークデバイスにより、前記チャネル状態情報タイプに基づいて前記ターゲットチャネル状態情報を決定するステップと、
前記第2のネットワークデバイスにより、前記トリガ信号および前記チャネル状態情報タイプに基づいて、前記ターゲットチャネル状態情報を前記第1のネットワークデバイスに報告するステップと
を含む情報報告方法。
【請求項２】
前記チャネル状態情報タイプが第1のタイプおよび第2のタイプを含み、前記第1のタイプは、第1の伝送方式に対応する前記チャネル状態情報タイプであり、前記第2のタイプは、第2の伝送方式に対応する前記チャネル状態情報タイプである、請求項1に記載の情報報告方法。
【請求項３】
前記第2のネットワークデバイスにより、前記チャネル状態情報タイプに基づいて前記ターゲットチャネル状態情報を決定する前記ステップが、
前記チャネル状態情報タイプが前記第1のタイプである場合、前記第2のネットワークデバイスにより、前記ターゲットチャネル状態情報がターゲットチャネルの品質、前記ターゲットチャネルのランク、および／または第1のチャネルプリコーディング行列インデックスであると決定するステップ、または、
前記チャネル状態情報タイプが前記第2のタイプである場合、前記第2のネットワークデバイスにより、前記ターゲットチャネル状態情報が前記ターゲットチャネルの前記品質、前記ターゲットチャネルの前記ランク、および第2のチャネルプリコーディング行列インデックスであると決定するステップ
を含む、請求項2に記載の情報報告方法。
【請求項４】
前記チャネル状態情報タイプが第3のタイプおよび第4のタイプを含み、前記第3のタイプは、プリコーディングされていないチャネル状態情報パイロットに基づく測定量に対応する前記チャネル状態情報タイプであり、前記第4のタイプは、ビーム形成されたチャネル状態情報パイロットに基づく測定量に対応する前記チャネル状態情報タイプである、請求項1に記載の情報報告方法。
【請求項５】
前記第2のネットワークデバイスにより、前記トリガ信号および前記チャネル状態情報タイプに基づいて、前記ターゲットチャネル状態情報を前記第1のネットワークデバイスに報告する前記ステップが、
前記チャネル状態情報タイプが前記第3のタイプである場合、前記第2のネットワークデバイスにより、前記トリガ信号に基づいて第1のタイプのターゲットチャネル状態情報を報告するステップであって、前記第1のタイプのターゲットチャネル状態情報は、前記プリコーディングされていないチャネル状態情報基準信号に基づく測定量に対応するチャネル状態情報である、ステップ、または、
前記チャネル状態情報タイプが前記第4のタイプである場合、前記第2のネットワークデバイスにより、前記トリガ信号に基づいて第2のタイプのターゲットチャネル状態情報を報告するステップであって、前記第2のタイプのターゲットチャネル状態情報は、前記ビーム形成されたチャネル状態情報基準信号に基づく測定量に対応するチャネル状態情報である、ステップ
を含む、請求項4に記載の情報報告方法。
【請求項６】
前記トリガ信号がシングルトリガ信号またはマルチトリガ信号であり、前記シングルトリガ信号は、前記第2のネットワークデバイスをトリガして前記ターゲットチャネル状態情報を前記第1のネットワークデバイスに1回報告するために使用され、前記マルチトリガ信号は、前記第2のネットワークデバイスをトリガして前記ターゲットチャネル状態情報を前記第1のネットワークデバイスに少なくとも2回報告するために使用される、請求項1から5のいずれか一項に記載の情報報告方法。
【請求項７】
前記トリガ信号が第1のトリガ信号または第2のトリガ信号であり、前記第1のトリガ信号は、前記第2のネットワークデバイスをトリガして前記第1のタイプのターゲットチャネル状態情報を前記第1のネットワークデバイスに1回報告するために使用され、前記第2のトリガ信号は、前記第2のネットワークデバイスをトリガして前記第2のタイプのターゲットチャネル状態情報を前記第1のネットワークデバイスに少なくとも2回報告するために使用される、請求項4または5に記載の情報報告方法。
【請求項８】
第1のネットワークデバイスにより、制御情報を第2のネットワークデバイスに送信するステップであって、前記制御情報はトリガ信号およびチャネル状態情報タイプを含み、前記トリガ信号は、前記第2のネットワークデバイスをトリガしてターゲットチャネル状態情報を前記第1のネットワークデバイスに報告するために使用される、ステップと、
前記第1のネットワークデバイスにより、前記第2のネットワークデバイスによって送信された前記ターゲットチャネル状態情報を受信するステップと
を含む情報報告方法。
【請求項９】
前記チャネル状態情報タイプが第1のタイプおよび第2のタイプを含み、前記第1のタイプは、第1の伝送方式に対応する前記チャネル状態情報タイプであり、前記第2のタイプは、第2の伝送方式に対応する前記チャネル状態情報タイプである、請求項8に記載の情報報告方法。
【請求項１０】
前記チャネル状態情報タイプが第3のタイプおよび第4のタイプを含み、前記第3のタイプは、プリコーディングされていないチャネル状態情報パイロットに基づく測定量に対応する前記チャネル状態情報タイプであり、前記第4のタイプは、ビーム形成されたチャネル状態情報パイロットに基づく測定量に対応する前記チャネル状態情報タイプである、請求項8に記載の情報報告方法。
【請求項１１】
前記トリガ信号がシングルトリガ信号またはマルチトリガ信号であり、前記シングルトリガ信号は、前記第2のネットワークデバイスをトリガして前記ターゲットチャネル状態情報を前記第1のネットワークデバイスに1回報告するために使用され、前記マルチトリガ信号は、前記第2のネットワークデバイスをトリガして前記ターゲットチャネル状態情報を前記第1のネットワークデバイスに少なくとも2回報告するために使用される、請求項8に記載の情報報告方法。
【請求項１２】
前記トリガ信号が第1のトリガ信号または第2のトリガ信号であり、前記第1のトリガ信号は、前記第2のネットワークデバイスをトリガして第1のタイプのターゲットチャネル状態情報を前記第1のネットワークデバイスに1回報告するために使用され、前記第2のトリガ信号は、前記第2のネットワークデバイスをトリガして第2のタイプのターゲットチャネル状態情報を前記第1のネットワークデバイスに少なくとも2回報告するために使用される、請求項8に記載の情報報告方法。
【請求項１３】
第2のネットワークデバイスであって、
第1のネットワークデバイスによって送信された制御情報を受信するように構成された受信ユニットであって、前記制御情報はトリガ信号およびチャネル状態情報タイプを含み、前記トリガ信号は、前記第2のネットワークデバイスをトリガしてターゲットチャネル状態情報を前記第1のネットワークデバイスに報告するために使用される、受信ユニットと、
前記チャネル状態情報タイプに基づいて前記ターゲットチャネル状態情報を決定するように構成された第1の決定ユニットと、
前記トリガ信号および前記チャネル状態情報タイプに基づいて、前記ターゲットチャネル状態情報を前記第1のネットワークデバイスに報告するように構成された報告ユニットと
を備える第2のネットワークデバイス。
【請求項１４】
前記チャネル状態情報タイプが第1のタイプおよび第2のタイプを含み、前記第1のタイプは、第1の伝送方式に対応する前記チャネル状態情報タイプであり、前記第2のタイプは、第2の伝送方式に対応する前記チャネル状態情報タイプである、請求項13に記載の第2のネットワークデバイス。
【請求項１５】
前記第1の決定ユニットが、
前記チャネル状態情報タイプが前記第1のタイプである場合、前記ターゲットチャネル状態情報がターゲットチャネルの品質、前記ターゲットチャネルのランク、および／または第1のチャネルプリコーディング行列インデックスであると決定するように構成された第1の決定モジュールと、
前記チャネル状態情報タイプが前記第2のタイプである場合、前記ターゲットチャネル状態情報が前記ターゲットチャネルの前記品質、前記ターゲットチャネルの前記ランク、および第2のチャネルプリコーディング行列インデックスであると決定するように構成された第2の決定モジュールと
をさらに備える、請求項14に記載の第2のネットワークデバイス。
【請求項１６】
前記チャネル状態情報タイプが第3のタイプおよび第4のタイプを含み、前記第3のタイプは、プリコーディングされていないチャネル状態情報パイロットに基づく測定量に対応する前記チャネル状態情報タイプであり、前記第4のタイプは、ビーム形成されたチャネル状態情報パイロットに基づく測定量に対応する前記チャネル状態情報タイプである、請求項13に記載の第2のネットワークデバイス。
【請求項１７】
前記報告ユニットが、
前記チャネル状態情報タイプが前記第3のタイプである場合、前記トリガ信号に基づいて第1のタイプのターゲットチャネル状態情報を報告するように構成された第1の報告モジュールであって、前記第1のタイプのターゲットチャネル状態情報は、前記プリコーディングされていないチャネル状態情報基準信号に基づく測定量に対応するチャネル状態情報である、第1の報告モジュールと、
前記チャネル状態情報タイプが前記第4のタイプである場合、前記トリガ信号に基づいて第2のタイプのターゲットチャネル状態情報を報告するように構成された第2の報告モジュールであって、前記第2のタイプのターゲットチャネル状態情報は、前記ビーム形成されたチャネル状態情報基準信号に基づく測定量に対応するチャネル状態情報である、第2の報告モジュールと
をさらに備える、請求項16に記載の第2のネットワークデバイス。
【請求項１８】
前記トリガ信号がシングルトリガ信号またはマルチトリガ信号であり、前記シングルトリガ信号は、前記第2のネットワークデバイスをトリガして前記ターゲットチャネル状態情報を前記第1のネットワークデバイスに1回報告するために使用され、前記マルチトリガ信号は、前記第2のネットワークデバイスをトリガして前記ターゲットチャネル状態情報を前記第1のネットワークデバイスに少なくとも2回報告するために使用される、請求項13から17のいずれか一項に記載の第2のネットワークデバイス。
【請求項１９】
前記トリガ信号が第1のトリガ信号または第2のトリガ信号を含み、前記第1のトリガ信号は、前記第2のネットワークデバイスをトリガして前記第1のタイプのターゲットチャネル状態情報を前記第1のネットワークデバイスに1回報告するために使用され、前記第2のトリガ信号は、前記第2のネットワークデバイスをトリガして前記第2のタイプのターゲットチャネル状態情報を前記第1のネットワークデバイスに少なくとも2回報告するために使用される、請求項16または17に記載の第2のネットワークデバイス。
【請求項２０】
第1のネットワークデバイスであって、
制御情報を第2のネットワークデバイスに送信するように構成された送信ユニットであって、前記制御情報はトリガ信号およびチャネル状態情報タイプを含み、前記トリガ信号は、前記第2のネットワークデバイスをトリガしてターゲットチャネル状態情報を前記第1のネットワークデバイスに報告するために使用される、送信ユニットと、
前記第2のネットワークデバイスによって送信された前記ターゲットチャネル状態情報を受信するように構成された受信ユニットと
を備える第1のネットワークデバイス。
【請求項２１】
前記チャネル状態情報タイプが第1のタイプおよび第2のタイプを含み、前記第1のタイプは、第1の伝送方式に対応する前記チャネル状態情報タイプであり、前記第2のタイプは、第2の伝送方式に対応する前記チャネル状態情報タイプである、請求項20に記載の第1のネットワークデバイス。
【請求項２２】
前記チャネル状態情報タイプが第3のタイプおよび第4のタイプを含み、前記第3のタイプは、プリコーディングされていないチャネル状態情報パイロットに基づく測定量に対応する前記チャネル状態情報タイプであり、前記第4のタイプは、ビーム形成されたチャネル状態情報パイロットに基づく測定量に対応する前記チャネル状態情報タイプである、請求項20に記載の第1のネットワークデバイス。
【請求項２３】
前記トリガ信号がシングルトリガ信号またはマルチトリガ信号であり、前記シングルトリガ信号は、前記第2のネットワークデバイスをトリガして前記ターゲットチャネル状態情報を前記第1のネットワークデバイスに1回報告するために使用され、前記マルチトリガ信号は、前記第2のネットワークデバイスをトリガして前記ターゲットチャネル状態情報を前記第1のネットワークデバイスに少なくとも2回報告するために使用される、請求項20に記載の第1のネットワークデバイス。
【請求項２４】
前記トリガ信号が第1のトリガ信号または第2のトリガ信号であり、前記第1のトリガ信号は、前記第2のネットワークデバイスをトリガして第1のタイプのターゲットチャネル状態情報を前記第1のネットワークデバイスに1回報告するために使用され、前記第2のトリガ信号は、前記第2のネットワークデバイスをトリガして第2のタイプのターゲットチャネル状態情報を前記第1のネットワークデバイスに少なくとも2回報告するために使用される、請求項20に記載の第1のネットワークデバイス。
【請求項２５】
第2のネットワークデバイスであって、
入力デバイス、出力デバイス、プロセッサ、記憶デバイス、およびバスを備え、
前記入力デバイス、前記出力デバイス、前記プロセッサ、および前記記憶デバイスは、前記バスを用いて接続され、
前記プロセッサは、
第1のネットワークデバイスによって送信された制御情報を受信する動作であって、前記制御情報はトリガ信号およびチャネル状態情報タイプを含み、前記トリガ信号は、前記第2のネットワークデバイスをトリガしてターゲットチャネル状態情報を前記第1のネットワークデバイスに報告するために使用される、動作と、
前記チャネル状態情報タイプに基づいて前記ターゲットチャネル状態情報を決定する動作と、
前記トリガ信号および前記チャネル状態情報タイプに基づいて、前記ターゲットチャネル状態情報を前記第1のネットワークデバイスに報告する動作と
を実行する、第2のネットワークデバイス。
【請求項２６】
第1のネットワークデバイスであって、
入力デバイス、出力デバイス、プロセッサ、記憶デバイス、およびバスを備え、
前記入力デバイス、前記出力デバイス、前記プロセッサ、および前記記憶デバイスは、前記バスを用いて接続され、
前記プロセッサは、
第2のネットワークデバイスに制御情報を送信する動作であって、前記制御情報はトリガ信号およびチャネル状態情報タイプを含み、前記トリガ信号は、前記第2のネットワークデバイスをトリガしてターゲットチャネル状態情報を前記第1のネットワークデバイスに報告するために使用される、動作と、
前記第2のネットワークデバイスによって送信された前記ターゲットチャネル状態情報を受信する動作と
を実行する、第1のネットワークデバイス。
【手続補正２３】
【補正対象書類名】図面
【補正対象項目名】図１
【補正方法】変更
【補正の内容】
【図１】
2019524032.tif 000025
【手続補正２４】
【補正対象書類名】図面
【補正対象項目名】図２
【補正方法】変更
【補正の内容】
【図２】
2019524032.tif 000026
【手続補正２５】
【補正対象書類名】図面
【補正対象項目名】図８
【補正方法】変更
【補正の内容】
【図８】
2019524032.tif 000027
【国際調査報告】
2019524032.tif 000028
2019524032.tif 000029
2019524032.tif 000030
2019524032.tif 000031